(57)【特許請求の範囲】
【請求項１】
少なくとも映像データに基づいて映像を表示する映像出力装置と、音声データに基づいて音声を出力する音声出力装置と、前記映像出力装置に有線接続されている第１の無線伝送装置と、前記音声出力装置に有線接続されて前記第１の無線伝送装置との間で無線伝送を行う第２の無線伝送装置とを備え、前記映像出力装置に接続される機器、前記音声出力装置に接続される機器、及び前記映像出力装置自身のいずれかが、前記映像出力装置に前記映像データを、前記音声出力装置に前記音声データをそれぞれ供給するソースデバイスとなる無線伝送システムにおいて、前記第１及び第２の無線伝送装置の一方が実行する無線伝送方法であって、
前記ソースデバイスのアドレスを示す位置特定メッセージを前記ソースデバイス、または前記ソースデバイスから前記映像データまたは前記音声データが供給されるシンクデバイスから受信する受信ステップと、
前記受信ステップで受信された前記位置特定メッセージに示される前記ソースデバイスのアドレスに基づいて前記ソースデバイスの位置が前記第２の無線伝送装置側であるか、前記第１の無線伝送装置側であるかを特定し、特定された前記ソースデバイスの位置に基づいて前記第１及び第２の無線伝送装置の間の接続形態を選択し、当該選択した接続形態で接続する接続形態選択ステップとを含み、
前記接続形態選択ステップでは、
前記ソースデバイスが前記第２の無線伝送装置側に存在する場合に、前記第２の無線伝送装置から前記第１の無線伝送装置に向かって、前記映像データ及び前記音声データのうちの少なくとも前記映像データを無線伝送する第１の無線接続形態で接続し、
前記ソースデバイスが前記第１の無線伝送装置側に存在する場合に、前記第１の無線伝送装置から前記第２の無線伝送装置に向かって、前記映像データ及び前記音声データのうちの前記音声データのみを無線伝送する第２の無線接続形態で接続する
無線伝送方法。
【請求項２】
前記接続形態選択ステップでは、前記ソースデバイスが前記第２の無線伝送装置側に存在する場合において、さらに、第１の接続開始条件を満足している場合に前記第１の無線接続形態で接続し、
前記第１の接続開始条件は、（ａ）当該無線伝送システムが前記映像データを前記映像出力装置から出力し、前記音声データを前記音声出力装置から出力するモードで動作していること、（ｂ）前記第１の無線伝送装置が前記映像データの有線出力機能を保有していること、（ｃ）前記第１の無線伝送装置が前記映像データの無線受信機能を保有していること、及び（ｄ）前記第１の無線伝送装置と前記映像出力装置とが接続されていることの少なくとも１つを含む
請求項１に記載の無線伝送方法。
【請求項３】
前記接続形態選択ステップでは、前記ソースデバイスが前記第１の無線伝送装置側に存在する場合において、さらに、第２の接続開始条件を満足している場合に前記第２の無線接続形態で接続し、
前記第２の接続開始条件は、（ａ）当該無線伝送システムが前記映像データを前記映像出力装置から出力し、前記音声データを前記音声出力装置から出力するモードで動作していること、（ｂ）前記第２の無線伝送装置が前記音声データの有線出力機能を保有していること、（ｃ）前記第２の無線伝送装置が前記音声データの無線受信機能を保有していること、及び（ｄ）前記第２の無線伝送装置と前記音声出力装置とが接続されていることの少なくとも１つを含む
請求項１又は２に記載の無線伝送方法。
【請求項４】
前記位置特定メッセージは、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）規格に規定されるＣＥＣ（Ｃｏｎｓｕｍｅｒ  Ｅｌｅｃｔｒｏｎｉｃｓ  Ｃｏｎｔｒｏｌ）メッセージであり、
前記接続形態選択ステップでは、前記ＣＥＣメッセージに含まれるＣＥＣ物理アドレスに基づいて、前記ソースデバイスの位置を特定する
請求項１〜３のいずれか１項に記載の無線伝送方法。
【請求項５】
前記ＣＥＣメッセージは、“Ｓｅｔ  Ｓｔｒｅａｍ  Ｐａｔｈ”メッセージ、又は“Ａｃｔｉｖｅ  Ｓｏｕｒｃｅ”メッセージである
請求項４に記載の無線伝送方法。
【請求項６】
前記第１及び第２の無線伝送装置は、ワイヤレスＨＤ（Ｈｉｇｈ−Ｄｅｆｉｎｉｔｉｏｎ）規格に準拠ており、前記第１の無線接続形態が選択されている場合に、ＨＲＰ（Ｈｉｇｈ  Ｒａｔｅ  ＰＨＹ）を用いて無線伝送を行い、前記第２の無線接続形態が選択されている場合に、ＬＲＰ（Ｌｏｗ  Ｒａｔｅ  ＰＨＹ）を用いて無線伝送を行う
請求項４又は５に記載の無線伝送方法。
【請求項７】
前記第１及び第２の無線伝送装置は、所定の時間間隔毎に割り当てられたランダムアクセス区間に、前記ＬＲＰを用いて互いに前記ＣＥＣメッセージを無線伝送する
請求項６に記載の無線伝送方法。
【請求項８】
該無線伝送方法は、さらに、
前記第１及び第２の無線接続形態のうちの一方で無線接続されている状態で、新たに前記第１及び第２の無線接続形態のうちの他方が前記接続形態選択ステップで選択された場合に、現在の無線接続を切断する切断ステップを含む
請求項１〜７のいずれか１項に記載の無線伝送方法。
【請求項９】
該無線伝送方法は、さらに、
前記第１及び第２の無線接続形態のうちの一方で無線接続されている状態で、自らに有線接続されている装置が停止していることを示す信号を受信した場合に、前記第１及び第２の無線伝送装置の間の無線接続を切断する切断ステップを含む
請求項１〜８のいずれか１項に記載の無線伝送方法。
【請求項１０】
少なくとも映像データに基づいて映像を表示する映像出力装置と、音声データに基づいて音声を出力する音声出力装置と、前記映像出力装置に有線接続されている第１の無線伝送装置と、前記音声出力装置に有線接続されて前記第１の無線伝送装置との間で無線伝送を行う第２の無線伝送装置とを備え、前記映像出力装置に接続される機器、前記音声出力装置に接続される機器、及び前記映像出力装置自身のいずれかが、前記映像出力装置に前記映像データを、前記音声出力装置に前記音声データをそれぞれ供給するソースデバイスとなる無線伝送システムにおいて、前記第１及び第２の無線伝送装置の一方の無線伝送装置であって、
前記ソースデバイスのアドレスを示す位置特定メッセージを前記ソースデバイス、または前記ソースデバイスから前記映像データまたは前記音声データが供給されるシンクデバイスから受信する受信部と、
前記受信部によって受信された前記位置特定メッセージに示される前記ソースデバイスのアドレスに基づいて前記ソースデバイスの位置が前記第２の無線伝送装置側であるか、前記第１の無線伝送装置側であるかを特定し、特定された前記ソースデバイスの位置に基づいて他方の無線伝送装置との間の接続形態を選択し、当該選択した接続形態で接続する接続形態選択部とを備え、
前記接続形態選択部は、
前記ソースデバイスが前記第２の無線伝送装置側に存在する場合に、前記第２の無線伝送装置から前記第１の無線伝送装置に向かって、前記映像データ及び前記音声データのうちの少なくとも前記映像データを無線伝送する第１の無線接続形態で接続し、
前記ソースデバイスが前記第１の無線伝送装置側に存在する場合に、前記第１の無線伝送装置から前記第２の無線伝送装置に向かって、前記映像データ及び前記音声データのうちの前記音声データのみを無線伝送する第２の無線接続形態で接続する
無線伝送装置。
【請求項１１】
少なくとも映像データに基づいて映像を表示する映像出力装置と、音声データに基づいて音声を出力する音声出力装置と、前記映像出力装置に有線接続されている第１の無線伝送装置と、前記音声出力装置に有線接続されて前記第１の無線伝送装置との間で無線伝送を行う第２の無線伝送装置とを備え、前記映像出力装置に接続される機器、前記音声出力装置に接続される機器、及び前記映像出力装置自身のいずれかが、前記映像出力装置に前記映像データを、前記音声出力装置に前記音声データをそれぞれ供給するソースデバイスとなる無線伝送システムであって、
前記第１及び第２の無線伝送装置の一方の無線伝送装置は、
前記ソースデバイスのアドレスを示す位置特定メッセージを前記ソースデバイス、または前記ソースデバイスから前記映像データまたは前記音声データが供給されるシンクデバイスから受信する受信部と、
前記受信部によって受信された前記位置特定メッセージに示される前記ソースデバイスのアドレスに基づいて前記ソースデバイスの位置が前記第２の無線伝送装置側であるか、前記第１の無線伝送装置側であるかを特定し、特定された前記ソースデバイスの位置に基づいて他方の無線伝送装置との間の接続形態を選択し、当該選択した接続形態で接続する接続形態選択部とを備え、
前記接続形態選択部は、
前記ソースデバイスが前記第２の無線伝送装置側に存在する場合に、前記第２の無線伝送装置から前記第１の無線伝送装置に向かって、前記映像データ及び前記音声データのうちの少なくとも前記映像データを無線伝送する第１の無線接続形態で接続し、
前記ソースデバイスが前記第１の無線伝送装置側に存在する場合に、前記第１の無線伝送装置から前記第２の無線伝送装置に向かって、前記映像データ及び前記音声データのうちの前記音声データのみを無線伝送する第２の無線接続形態で接続する
無線伝送システム。
【請求項１２】
少なくとも映像データに基づいて映像を表示する映像出力装置と、音声データに基づいて音声を出力する音声出力装置と、前記映像出力装置に有線接続されている第１の無線伝送装置と、前記音声出力装置に有線接続されて前記第１の無線伝送装置との間で無線伝送を行う第２の無線伝送装置とを備え、前記映像出力装置に接続される機器、前記音声出力装置に接続される機器、及び前記映像出力装置自身のいずれかが、前記映像出力装置に前記映像データを、前記音声出力装置に前記音声データをそれぞれ供給するソースデバイスとなる無線伝送システムにおいて、前記第１及び第２の無線伝送装置の一方の無線伝送装置に実行させるプログラムであって、
前記ソースデバイスのアドレスを示す位置特定メッセージを前記ソースデバイス、または前記ソースデバイスから前記映像データまたは前記音声データが供給されるシンクデバイスから受信する受信ステップと、
前記受信ステップで受信された前記位置特定メッセージに示される前記ソースデバイスのアドレスに基づいて前記ソースデバイスの位置が前記第２の無線伝送装置側であるか、前記第１の無線伝送装置側であるかを特定し、特定された前記ソースデバイスの位置に基づいて前記第１及び第２の無線伝送装置の間の接続形態を選択し、当該選択した接続形態で接続する接続形態選択ステップとを無線伝送装置に実行させ、
前記接続形態選択ステップでは、
前記ソースデバイスが前記第２の無線伝送装置側に存在する場合に、前記第２の無線伝送装置から前記第１の無線伝送装置に向かって、前記映像データ及び前記音声データのうちの少なくとも前記映像データを無線伝送する第１の無線接続形態で接続し、
前記ソースデバイスが前記第１の無線伝送装置側に存在する場合に、前記第１の無線伝送装置から前記第２の無線伝送装置に向かって、前記映像データ及び前記音声データのうちの前記音声データのみを無線伝送する第２の無線接続形態で接続する
プログラム。
【請求項１３】
少なくとも映像データに基づいて映像を表示する映像出力装置と、音声データに基づいて音声を出力する音声出力装置と、前記映像出力装置に有線接続されている第１の無線伝送装置と、前記音声出力装置に有線接続されて前記第１の無線伝送装置との間で無線伝送を行う第２の無線伝送装置とを備え、前記映像出力装置に接続される機器、前記音声出力装置に接続される機器、及び前記映像出力装置自身のいずれかが、前記映像出力装置に前記映像データを、前記音声出力装置に前記音声データをそれぞれ供給するソースデバイスとなる無線伝送システムにおいて、前記第１及び第２の無線伝送装置の一方の無線伝送装置に搭載される集積回路であって、
前記ソースデバイスのアドレスを示す位置特定メッセージを前記ソースデバイス、または前記ソースデバイスから前記映像データまたは前記音声データが供給されるシンクデバイスから受信する受信部と、
前記受信部によって受信された前記位置特定メッセージに示される前記ソースデバイスのアドレスに基づいて前記ソースデバイスの位置が前記第２の無線伝送装置側であるか、前記第１の無線伝送装置側であるかを特定し、特定された前記ソースデバイスの位置に基づいて他方の無線伝送装置との間の接続形態を選択し、当該選択した接続形態で接続する接続形態選択部とを備え、
前記接続形態選択部は、
前記ソースデバイスが前記第２の無線伝送装置側に存在する場合に、前記第２の無線伝送装置から前記第１の無線伝送装置に向かって、前記映像データ及び前記音声データのうちの少なくとも前記映像データを無線伝送する第１の無線接続形態で接続し、
前記ソースデバイスが前記第１の無線伝送装置側に存在する場合に、前記第１の無線伝送装置から前記第２の無線伝送装置に向かって、前記映像データ及び前記音声データのうちの前記音声データのみを無線伝送する第２の無線接続形態で接続する
集積回路。
【発明の詳細な説明】
【技術分野】
【０００１】
本発明は、映像音声データの無線伝送方法に関し、特に、テレビジョン装置（ＴＶ）などの映像音声出力装置からＡＶアンプなどの音声出力装置に音声データを伝送するための無線伝送方法に関するものである。
【背景技術】
【０００２】
従来、映像データ及び音声データを複数の機器間で無線伝送する方法として、特許文献１に開示されている方法があった。特許文献１では、コンテンツデータを出力するソースデバイスに接続された映像伝送装置が、ソースデバイスから出力されるコンテンツデータを複数の電子機器に無線信号によって選択的に伝送する方法が記載されている。
【０００３】
具体的には、まず、映像伝送装置は、複数の電子機器それぞれと無線通信することによって、複数の電子機器それぞれの機能を検出する。次に、映像伝送装置は、検出された複数の電子機器それぞれの機能に応じて、複数の電子機器を複数のグループに分類し、複数のグループそれぞれの構成の一覧を示すリスト情報を生成する。例えば、映像表示に使用可能な電子機器（プロジェクタなど）と音声出力に使用可能な電子機器（ＡＶアンプなど）との組み合わせ、または映像表示及び音声出力の双方に使用可能な一つの電子機器（ＴＶなど）等である。
【０００４】
次に、映像伝送装置は、生成されたリスト情報をソースデバイスに送信する。そして、ソースデバイスから出力される複数のグループの一つを指定する選択情報に応じて、複数の電子機器の内からコンテンツデータに含まれる映像データを伝送すべき第１の電子機器と、コンテンツデータに含まれる音声データを伝送すべき第２の電子機器とを特定する。
【０００５】
特定された第１の電子機器と特定された第２の電子機器とが異なる電子機器である場合、映像伝送装置は、コンテンツデータに含まれる映像データ及び音声データを、特定された第１の電子機器及び第２の電子機器にそれぞれ無線信号によって伝送する。一方、特定された第１の電子機器と特定された第２の電子機器とが一つの電子機器である場合、映像伝送装置は、コンテンツデータに含まれる映像データ及び音声データを、一つの電子機器に無線信号によって伝送する。
【０００６】
これにより、ソースデバイスから出力されるコンテンツデータのうち、映像データをプロジェクタに、音声データをＡＶアンプに別々に送信することや、コンテンツデータに含まれる映像データ及び音声データをまとめてＴＶに送信することを選択することができる。
【先行技術文献】
【特許文献】
【０００７】
【特許文献１】特開２００９−００４８７７号公報
【発明の概要】
【発明が解決しようとする課題】
【０００８】
しかしながら、従来技術に係る映像音声データ（映像データ及び音声データを含む。以下同じ。）の無線伝送方法では、ＴＶがアンテナから受信した放送波を内部チューナで復号して視聴する際、又はＴＶに有線接続された機器から出力されるコンテンツを視聴する際の動作については開示されていない。具体的には、ＴＶの内部チューナによって復号された音声データをより高音質で聞くためにＡＶアンプを利用する場合、又はＴＶに接続された機器から出力されるコンテンツをより高音質で聞くためにＡＶアンプを利用する場合がある。これらの際、ＴＶとＡＶアンプとの間の無線接続を適切に確立する必要があった。
【０００９】
例えば、無線帯域を映像データと音声データとで共有し、映像データ及び音声データの両方を同時に伝送できるほど無線帯域が十分でなく、映像データもしくは音声データのどちらか一方のみを伝送できる無線方式を用いる場合は、他の機器からＴＶに映像データを無線伝送する際と、ＴＶからＡＶアンプに音声データを無線伝送する際とで無線接続を切り換える必要がある。
【００１０】
しかしながら、従来の方法では、ユーザが手動で無線接続を切り換えなければならないという課題があった。
【００１１】
本発明の目的は、以上の問題点を解決し、無線接続の切り換えを自動で行うことができる映像音声データの無線伝送方法を提供することを目的とする。
【課題を解決するための手段】
【００１２】
本発明の一形態に係る無線伝送方法は、少なくとも映像データに基づいて映像を表示する映像出力装置と、音声データに基づいて音声を出力する音声出力装置と、前記映像出力装置に有線接続されている第１の無線伝送装置と、前記音声出力装置に有線接続されて前記第１の無線伝送装置との間で無線伝送を行う第２の無線伝送装置とを備え、前記映像出力装置に接続される機器、前記音声出力装置に接続される機器、及び前記映像出力装置自身のいずれかが、前記映像出力装置に前記映像データを、前記音声出力装置に前記音声データをそれぞれ供給するソースデバイスとなる無線伝送システムにおいて、前記第１及び第２の無線伝送装置の一方が実行する方法である。具体的には、前記ソースデバイスの位置を示す位置特定メッセージを受信する受信ステップと、前記受信ステップで受信された前記位置特定メッセージに示される前記ソースデバイスの位置に基づいて、前記第１及び第２の無線伝送装置の間の接続形態を選択し、当該選択した接続形態で接続する接続形態選択ステップとを含む。そして、前記接続形態選択ステップでは、前記ソースデバイスが前記第２の無線伝送装置側に存在する場合に、前記第２の無線伝送装置から前記第１の無線伝送装置に向かって、前記映像データ及び前記音声データのうちの少なくとも前記映像データを無線伝送する第１の無線接続形態で接続し、前記ソースデバイスが前記第１の無線伝送装置側に存在する場合に、前記第１の無線伝送装置から前記第２の無線伝送装置に向かって、前記映像データ及び前記音声データのうちの前記音声データのみを無線伝送する第２の無線接続形態で接続する。
【００１３】
上記構成によれば、ソースデバイスの位置に応じて、第１及び第２の無線伝送装置の間の接続形態が自動で選択される。その結果、ユーザに煩雑な設定変更を要求することなく、コンテンツを再生することができる。
【００１４】
なお、映像出力装置がソースデバイスとなる場合、映像出力装置及び音声出力装置に接続される機器（映像音声再生装置）は、必須の構成要素ではない。また、「映像出力装置に接続される機器」とは、映像出力装置に直接接続される機器のみならず、両者の間にさらに他の機器を介在させて、映像出力装置に間接的に接続される機器をも含む。「音声出力装置に接続される機器」についても同様である。
【００１５】
一例として、前記接続形態選択ステップでは、前記ソースデバイスが前記第２の無線伝送装置側に存在する場合において、さらに、第１の接続開始条件を満足している場合に前記第１の無線接続形態で接続してもよい。この場合の前記第１の接続開始条件は、（ａ）当該無線伝送システムが前記映像データを前記映像出力装置から出力し、前記音声データを前記音声出力装置から出力するモードで動作していること、（ｂ）前記第１の無線伝送装置が前記映像データの有線出力機能を保有していること、（ｃ）前記第１の無線伝送装置が前記映像データの無線受信機能を保有していること、及び（ｄ）前記第１の無線伝送装置と前記映像出力装置とが接続されていることの少なくとも１つを含んでもよい。
【００１６】
他の例として、前記接続形態選択ステップでは、前記ソースデバイスが前記第１の無線伝送装置側に存在する場合において、さらに、第２の接続開始条件を満足している場合に前記第２の無線接続形態で接続してもよい。この場合の前記第２の接続開始条件は、（ａ）当該無線伝送システムが前記映像データを前記映像出力装置から出力し、前記音声データを前記音声出力装置から出力するモードで動作していること、（ｂ）前記第２の無線伝送装置が前記音声データの有線出力機能を保有していること、（ｃ）前記第２の無線伝送装置が前記音声データの無線受信機能を保有していること、及び（ｄ）前記第２の無線伝送装置と前記音声出力装置とが接続されていることの少なくとも１つを含んでもよい。
【００１７】
また、前記位置特定メッセージは、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に規定されるＣＥＣ（Ｃｏｎｓｕｍｅｒ  Ｅｌｅｃｔｒｏｎｉｃｓ  Ｃｏｎｔｒｏｌ）メッセージであってもよい。そして、前記接続形態選択ステップでは、前記ＣＥＣメッセージに含まれるＣＥＣ物理アドレスに基づいて、前記ソースデバイスの位置を特定してもよい。
【００１８】
具体的には、前記ＣＥＣメッセージは、“Ｓｅｔ  Ｓｔｒｅａｍ  Ｐａｔｈ”メッセージ、又は“Ａｃｔｉｖｅ  Ｓｏｕｒｃｅ”メッセージであってもよい。
【００１９】
また、前記第１及び第２の無線伝送装置は、ワイヤレスＨＤ（Ｈｉｇｈ−Ｄｅｆｉｎｉｔｉｏｎ）規格に準拠ており、前記第１の無線接続形態が選択されている場合に、ＨＲＰ（Ｈｉｇｈ  Ｒａｔｅ  ＰＨＹ）を用いて無線伝送を行い、前記第２の無線接続形態が選択されている場合に、ＬＲＰ（Ｌｏｗ  Ｒａｔｅ  ＰＨＹ）を用いて無線伝送を行ってもよい。ＨＲＰを用いることにより、非圧縮の映像データを無線伝送することができる。一方、音声データは映像データと比較してデータ量が小さいので、ＬＲＰでも十分に無線伝送することができる。
【００２０】
また、前記第１及び第２の無線伝送装置は、所定の時間間隔毎に割り当てられたランダムアクセス区間に、前記ＬＲＰを用いて互いに前記ＣＥＣメッセージを無線伝送してもよい。これにより、ＬＲＰを用いて音声データを無線伝送している場合でも、接続形態の変更が可能となる。
【００２１】
さらに、該無線伝送方法は、前記第１及び第２の無線接続形態のうちの一方で無線接続されている状態で、新たに前記第１及び第２の無線接続形態のうちの他方が前記接続形態選択ステップで選択された場合に、現在の無線接続を切断する切断ステップを含んでもよい。これにより、スムーズに接続形態の変更を行うことができる。
【００２２】
さらに、該無線伝送方法は、前記第１及び第２の無線接続形態のうちの一方で無線接続されている状態で、自らに有線接続されている装置が停止していることを示す信号を受信した場合に、前記第１及び第２の無線伝送装置の間の無線接続を切断する切断ステップを含んでもよい。これにより、コンテンツの視聴が終了した後等に、無線帯域が占有され続けるのを防止することができる。
【００２３】
本発明の一形態に係る無線伝送装置は、少なくとも映像データに基づいて映像を表示する映像出力装置と、音声データに基づいて音声を出力する音声出力装置と、前記映像出力装置に有線接続されている第１の無線伝送装置と、前記音声出力装置に有線接続されて前記第１の無線伝送装置との間で無線伝送を行う第２の無線伝送装置とを備え、前記映像出力装置に接続される機器、前記音声出力装置に接続される機器、及び前記映像出力装置自身のいずれかが、前記映像出力装置に前記映像データを、前記音声出力装置に前記音声データをそれぞれ供給するソースデバイスとなる無線伝送システムにおいて、前記第１及び第２の無線伝送装置の一方の無線伝送装置である。具体的には、前記ソースデバイスの位置を示す位置特定メッセージを受信する受信部と、前記受信部によって受信された前記位置特定メッセージに示される前記ソースデバイスの位置に基づいて、他方の無線伝送装置との間の接続形態を選択し、当該選択した接続形態で接続する接続形態選択部とを備える。そして、前記接続形態選択部は、前記ソースデバイスが前記第２の無線伝送装置側に存在する場合に、前記第２の無線伝送装置から前記第１の無線伝送装置に向かって、前記映像データ及び前記音声データのうちの少なくとも前記映像データを無線伝送する第１の無線接続形態で接続し、前記ソースデバイスが前記第１の無線伝送装置側に存在する場合に、前記第１の無線伝送装置から前記第２の無線伝送装置に向かって、前記映像データ及び前記音声データのうちの前記音声データのみを無線伝送する第２の無線接続形態で接続する。
【００２４】
本発明の一形態に係る無線伝送システムは、少なくとも映像データに基づいて映像を表示する映像出力装置と、音声データに基づいて音声を出力する音声出力装置と、前記映像出力装置に有線接続されている第１の無線伝送装置と、前記音声出力装置に有線接続されて前記第１の無線伝送装置との間で無線伝送を行う第２の無線伝送装置とを備え、前記映像出力装置に接続される機器、前記音声出力装置に接続される機器、及び前記映像出力装置自身のいずれかが、前記映像出力装置に前記映像データを、前記音声出力装置に前記音声データをそれぞれ供給するソースデバイスとなる。具体的には、前記第１及び第２の無線伝送装置の一方の無線伝送装置は、前記ソースデバイスの位置を特定する位置特定メッセージを受信する受信部と、前記受信部によって受信された前記位置特定メッセージに示される前記ソースデバイスの位置に基づいて、他方の無線伝送装置との間の接続形態を選択し、当該選択した接続形態で接続する接続形態選択部とを備える。そして、前記接続形態選択部は、前記ソースデバイスが前記第２の無線伝送装置側に存在する場合に、前記第２の無線伝送装置から前記第１の無線伝送装置に向かって、前記映像データ及び前記音声データのうちの少なくとも前記映像データを無線伝送する第１の無線接続形態で接続し、前記ソースデバイスが前記第１の無線伝送装置側に存在する場合に、前記第１の無線伝送装置から前記第２の無線伝送装置に向かって、前記映像データ及び前記音声データのうちの前記音声データのみを無線伝送する第２の無線接続形態で接続する。
【００２５】
本発明の一形態に係るプログラムは、少なくとも映像データに基づいて映像を表示する映像出力装置と、音声データに基づいて音声を出力する音声出力装置と、前記映像出力装置に有線接続されている第１の無線伝送装置と、前記音声出力装置に有線接続されて前記第１の無線伝送装置との間で無線伝送を行う第２の無線伝送装置とを備え、前記映像出力装置に接続される機器、前記音声出力装置に接続される機器、及び前記映像出力装置自身のいずれかが、前記映像出力装置に前記映像データを、前記音声出力装置に前記音声データをそれぞれ供給するソースデバイスとなる無線伝送システムにおいて、前記第１及び第２の無線伝送装置の一方の無線伝送装置に実行させる。具体的には、前記ソースデバイスの位置を示す位置特定メッセージを受信する受信ステップと、前記受信ステップで受信された前記位置特定メッセージに示される前記ソースデバイスの位置に基づいて、前記第１及び第２の無線伝送装置の間の接続形態を選択し、当該選択した接続形態で接続する接続形態選択ステップとを無線伝送装置に実行させる。そして、前記接続形態選択ステップでは、前記ソースデバイスが前記第２の無線伝送装置側に存在する場合に、前記第２の無線伝送装置から前記第１の無線伝送装置に向かって、前記映像データ及び前記音声データのうちの少なくとも前記映像データを無線伝送する第１の無線接続形態で接続し、前記ソースデバイスが前記第１の無線伝送装置側に存在する場合に、前記第１の無線伝送装置から前記第２の無線伝送装置に向かって、前記映像データ及び前記音声データのうちの前記音声データのみを無線伝送する第２の無線接続形態で接続する。
【００２６】
本発明の一形態に係る集積回路は、少なくとも映像データに基づいて映像を表示する映像出力装置と、音声データに基づいて音声を出力する音声出力装置と、前記映像出力装置に有線接続されている第１の無線伝送装置と、前記音声出力装置に有線接続されて前記第１の無線伝送装置との間で無線伝送を行う第２の無線伝送装置とを備え、前記映像出力装置に接続される機器、前記音声出力装置に接続される機器、及び前記映像出力装置自身のいずれかが、前記映像出力装置に前記映像データを、前記音声出力装置に前記音声データをそれぞれ供給するソースデバイスとなる無線伝送システムにおいて、前記第１及び第２の無線伝送装置の一方の無線伝送装置に搭載される。具体的には、前記ソースデバイスの位置を示す位置特定メッセージを受信する受信部と、前記受信部によって受信された前記位置特定メッセージに示される前記ソースデバイスの位置に基づいて、他方の無線伝送装置との間の接続形態を選択し、当該選択した接続形態で接続する接続形態選択部とを備える。そして、前記接続形態選択部は、前記ソースデバイスが前記第２の無線伝送装置側に存在する場合に、前記第２の無線伝送装置から前記第１の無線伝送装置に向かって、前記映像データ及び前記音声データのうちの少なくとも前記映像データを無線伝送する第１の無線接続形態で接続し、前記ソースデバイスが前記第１の無線伝送装置側に存在する場合に、前記第１の無線伝送装置から前記第２の無線伝送装置に向かって、前記映像データ及び前記音声データのうちの前記音声データのみを無線伝送する第２の無線接続形態で接続する。
【発明の効果】
【００２７】
本発明に係る映像音声データの無線伝送方法によれば、映像音声出力装置（ＴＶ）と音声出力装置（ＡＶアンプ）の間の無線接続の切り換えを自動で行うことができる。
【図面の簡単な説明】
【００２８】
【図１】図１は、本発明の第１の実施形態に係る映像音声データの無線伝送方法を用いて映像音声データを伝送する無線通信システムの構成を示すブロック図である。
【図２】図２は、本発明の第１の実施形態に係る無線伝送装置１０１の一構成例を示すブロック図である。
【図３】図３は、本発明の第１の実施形態に係る無線伝送装置１０２の一構成例を示すブロック図である。
【図４】図４は、本発明の第１の実施形態に係る音声出力装置１０３の一構成例を示すブロック図である。
【図５】図５は、本発明の第１の実施形態に係る映像音声再生装置１０４、１１１の一構成例を示すブロック図である。
【図６】図６は、本発明の第１の実施形態に係る映像音声出力装置１０８の一構成例を示すブロック図である。
【図７Ａ】図７Ａは、本発明の第１の実施形態に係る無線伝送装置１０１で行われる接続処理のフローチャートの一例である。
【図７Ｂ】図７Ｂは、本発明の第１の実施形態に係る無線伝送装置１０１で行われる接続処理のフローチャートの他の例である。
【図８】図８は、本発明の第１の実施形態に係る映像音声再生装置１０４から出力される映像データ及び音声データの流れの一例を示す図である。
【図９】図９は、本発明の第１の実施形態に係る映像音声再生装置１０４から映像データ及び音声データを送信するときのシーケンスの一例を示す図である。
【図１０】図１０は、本発明の第１の実施形態に係る映像音声再生装置１０４から映像データ及び音声データを送信するときのシーケンスの一例を示す図である。
【図１１】図１１は、本発明の第１の実施形態に係る映像音声再生装置１０４から映像データ及び音声データを送信するときのシーケンスの一例を示す図である。
【図１２】図１２は、本発明の第１の実施形態に係る映像音声再生装置１０４から映像データ及び音声データを送信するときのシーケンスの一例を示す図である。
【図１３】図１３は、本発明の第１の実施形態に係る映像音声出力装置１０８から出力される映像データ及び音声データの流れの一例を示す図である。
【図１４】図１４は、本発明の第１の実施形態に係る映像音声出力装置１０８から映像データ及び音声データを送信するときのシーケンスの一例を示す図である。
【図１５】図１５は、本発明の第１の実施形態に係る映像音声出力装置１０８から映像データ及び音声データを送信するときのシーケンスの一例を示す図である。
【図１６】図１６は、本発明の第１の実施形態に係る映像音声出力装置１０８から映像データ及び音声データを送信するときのシーケンスの一例を示す図である。
【図１７】図１７は、本発明の第１の実施形態に係る映像音声出力装置１０８から映像データ及び音声データを送信するときのシーケンスの一例を示す図である。
【図１８】図１８は、本発明の第１の実施形態に係る映像音声再生装置１１１から出力される映像データ及び音声データの流れの一例を示す図である。
【図１９】図１９は、本発明の第１の実施形態に係る映像音声再生装置１１１から映像データ及び音声データを送信するときのシーケンスの一例を示す図である。
【図２０】図２０は、本発明の第１の実施形態に係る映像音声再生装置１１１から映像データ及び音声データを送信するときのシーケンスの一例を示す図である。
【図２１】図２１は、本発明の第１の実施形態に係る映像音声再生装置１１１から映像データ及び音声データを送信するときのシーケンスの一例を示す図である。
【図２２】図２２は、本発明の第１の実施形態に係る映像音声再生装置１１１から映像データ及び音声データを送信するときのシーケンスの一例を示す図である。
【図２３】図２３は、本発明の第１の実施形態に係る無線伝送装置１０１で行われる切断処理のフローチャートである。
【図２４】図２４は、図１に示される無線通信システムの他の例を示す図である。
【図２５】図２５は、本発明の第２の実施形態に係る音声データの無線伝送方法を用いて音声データを伝送する無線通信システムの構成を示すブロック図である。
【図２６】図２６は、本発明の第２の実施形態に係る映像音声出力装置７０１の一構成例を示すブロック図である。
【図２７】図２７は、本発明の第２の実施形態に係る映像音声出力装置７０１で行われる接続処理のフローチャートである。
【図２８】図２８は、本発明の第２の実施形態に係る映像音声出力装置７０１が無線伝送装置１０２のデバイス情報を取得するときのシーケンスを示す図である。
【図２９】図２９は、本発明の第２の実施形態に係るデバイス情報要求信号のメッセージフォーマットの一例を示す図である。
【図３０】図３０は、本発明の第２の実施形態に係るデバイス情報応答信号のメッセージフォーマットの一例を示す図である。
【図３１】図３１は、本発明の第２の実施形態に係る無線伝送装置１０２で行われる接続処理のフローチャートである。
【図３２】図３２は、本発明の第２の実施形態に係る図２５の無線通信システムの動作例を示すシーケンス図である。
【図３３】図３３は、本発明の第２の実施形態に係る映像音声出力装置７０１で行われる接続処理のフローチャートである。
【図３４】図３４は、本発明の第３の実施形態に係る音声データの無線伝送方法を用いて音声データを伝送する無線通信システムの一構成例を示すブロック図である。
【発明を実施するための形態】
【００２９】
（第１の実施形態）
図１は、本発明の第１の実施形態に係る無線伝送方法を用いて、映像データ及び音声データを無線伝送する無線伝送システムの一構成例を示すブロック図である。図１に示される無線伝送システムは、無線伝送装置１０１、１０２と、音声出力装置１０３と、映像音声再生装置１０４、１１１と、映像音声出力装置１０８とを備える。なお、上記構成の無線伝送システムにおいて、映像音声再生装置１０４、１１１、及び映像音声出力装置１０８のいずれかが、映像音声データの供給元であるソースデバイスとなり得る。
【００３０】
ここで、映像音声再生装置１０４がソースデバイスとなる場合、映像音声再生装置１１１は必須の構成要素ではなく、省略することができる。また、映像音声再生装置１１１がソースデバイスとなる場合、映像音声再生装置１０４は必須の構成要素ではなく、省略することができる。さらに、映像音声出力装置１０８がソースデバイスとなる場合、映像音声再生装置１０４、１１１は必須の構成要素ではなく、省略することができる。
【００３１】
図１において、無線伝送装置１０１、１０２は無線を用いて、相互に映像データ、音声データ、及び制御コマンドの送受信が可能な装置である。
【００３２】
音声出力装置１０３は、音声データに基づいて音声を出力することが可能な装置である。音声出力装置１０３の具体例は特に限定されないが、例えば、ＡＶ（Ａｕｄｉｏ／Ｖｉｓｕａｌ）アンプである。
【００３３】
映像音声再生装置１０４、１１１は、映像データ及び音声データを再生し、他の装置（例えば、音声データを音声出力装置１０３に、映像データを映像音声出力装置１０８に）へ供給することが可能な装置である。映像音声再生装置１０４、１１１の具体例は特に限定されないが、例えば、ＢＤ（Ｂｌｕ−ｒａｙ  Ｄｉｓｃ）プレーヤ、ＤＶＤ（Ｄｉｇｉｔａｌ  Ｖｅｒｓａｔｉｌｅ  Ｄｉｓｃ）プレーヤ等である。
【００３４】
映像音声出力装置１０８は、映像データに基づいて映像を表示し、音声データに基づいて音声を出力することが可能な装置である。また、映像音声出力装置１０８は、図示しない放送局から放送波を受信し、当該放送波に含まれる映像音声データを他の装置（例えば、映像データを映像音声出力装置１０８自身に、音声データを音声出力装置１０３に）に供給することが可能な装置である。
【００３５】
映像音声出力装置１０８の具体例は特に限定されないが、例えば、ＴＶ（Ｔｅｌｅｖｉｓｉｏｎ）である。または、本発明の他の形態に係る無線伝送システムは、図２４に示されるように、図１の映像音声出力装置１０８に代えて、映像の出力のみが可能な映像出力装置（典型例は、プロジェクタ）１１３を備えてもよい。つまり、無線伝送装置１０１に有線接続される機器は、少なくとも映像の出力が可能であればよい。
【００３６】
また、映像音声伝送ケーブル１０５、１０６、１０９、１１２は、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブルなどの映像データ及び音声データを伝送することが可能なケーブルである。また、音声伝送ケーブル１０７、１１０は、ＳＰＤＩＦ（Ｓｏｎｙ  Ｐｈｉｌｉｐｓ  Ｄｉｇｉｔａｌ  Ｉｎｔｅｒｆａｃｅ）ケーブルなどの音声データを伝送することが可能なケーブルである。
【００３７】
映像音声再生装置１０４と音声出力装置１０３とは、映像音声伝送ケーブル１０５によって有線接続されており、映像データ及び音声データを映像音声再生装置１０４から音声出力装置１０３の一方向に、制御コマンドを双方向に伝送することができる。
【００３８】
音声出力装置１０３と無線伝送装置１０２とは、映像音声伝送ケーブル１０６によって有線接続されており、映像データ及び音声データを音声出力装置１０３から無線伝送装置１０２の一方向に、制御コマンドを双方向に伝送することができる。また、音声出力装置１０３と無線伝送装置１０２とは、音声伝送ケーブル１０７によって有線接続されており、音声データを無線伝送装置１０２から音声出力装置１０３の一方向に伝送することができる。
【００３９】
無線伝送装置１０１、１０２は、例えば、ワイヤレスＨＤ（Ｈｉｇｈ−Ｄｅｆｉｎｉｔｉｏｎ）に準拠した方式で無線伝送を行う。具体的には、ＨＲＰ（Ｈｉｇｈ  Ｒａｔｅ  ＰＨＹ）とＬＲＰ（Ｌｏｗ  Ｒａｔｅ  ＰＨＹ）とを必要に応じて切り替えて、無線伝送を行う。ＨＲＰは、４．０Ｇ（ｂｐｓ）の帯域を持ち、一方向（無線伝送装置１０２から無線伝送装置１０１に向かう方向）のみの無線伝送が可能である。第１の実施形態においては、ＨＲＰを用いて主に非圧縮の映像データ及び音声データを無線伝送する。ＬＲＰは、４０Ｍ（ｂｐｓ）の帯域を持ち、双方向の無線伝送が可能である。第１の実施形態においては、主に音声データやＣＥＣ（Ｃｏｎｓｕｍｅｒ  Ｅｌｅｃｔｒｏｎｉｃｓ  Ｃｏｎｔｒｏｌ）メッセージ等の制御コマンドを無線伝送する。
【００４０】
無線伝送装置１０１と映像音声出力装置１０８とは、映像音声伝送ケーブル１０９によって有線接続されており、映像データ及び音声データを無線伝送装置１０１から映像音声出力装置１０８の一方向に、制御コマンドを双方向に伝送することができる。また、無線伝送装置１０２と映像音声出力装置１０８とは、音声伝送ケーブル１１０によって有線接続されており、音声データを映像音声出力装置１０８から無線伝送装置１０１の一方向に伝送することができる。
【００４１】
映像音声出力装置１０８と映像音声再生装置１１１とは、映像音声伝送ケーブル１１２によって有線接続されており、映像データ及び音声データを映像音声再生装置１１１から映像音声出力装置１０８の一方向に、制御コマンドを双方向に伝送することができる。
【００４２】
図１に示される無線伝送システムは、２つの出力形態（シアターモード、通常モード）を備えている。シアターモードは、映像音声出力装置１０８で映像を表示し、音声出力装置１０３から音声を出力する。通常モードは、映像音声出力装置１０８に映像を表示すると共に、内蔵されているスピーカから音声も出力する。この出力形態の切替は、各装置に対して手動で設定してもよいし、１つの装置に対して手動で設定すると、当該手動設定された装置から他の装置に通知されてもよい。一方、図２４に示される無線伝送システムは、常に、映像出力装置１１３で映像を表示し、音声出力装置１０３から音声を出力する（つまり、シアターモードのみ）。
【００４３】
また、映像音声出力装置１０８、音声出力装置１０３、及び映像音声再生装置１０４、１１１には、ＨＤＭＩで規定されているＣＥＣ物理アドレス（以下、単に「物理アドレス」という）が割り当てられる。映像音声出力装置１０８には物理アドレス［０．０．０．０］が割り当てられ、映像音声出力装置１０８の入力側に接続されている音声出力装置１０３には物理アドレス［１．０．０．０］が割り当てられ、映像音声出力装置１０８の入力側に接続されている映像音声再生装置１１１には物理アドレス［２．０．０．０］が割り当てられ、音声出力装置１０３の入力側に接続されている映像音声再生装置１０４には物理アドレス［１．１．０．０］が割り当てられる。なお、第１の実施形態に示した物理アドレスの割当は一例であり、装置の接続方法によっては、各装置には異なる物理アドレスが割り当てられることもあるが、その場合でも、第１の実施形態に示す処理と同様の処理を実施することが可能である。
【００４４】
図２は、本発明の第１の実施形態における無線伝送装置１０１の一構成例を示すブロック図である。図２において、無線伝送装置１０１は、アンテナ２０６を備えたパケット無線送受信回路２０２と、パケット処理回路２０３と、映像データ及び音声データの送信機能を有する有線送受信回路２０４と、音声データの受信機能を有する音声有線受信回路２０５と、これらの回路等２０２〜２０５の動作を制御するコントローラ２０１とを備えて構成される。
【００４５】
アンテナ２０６は、無線伝送装置１０２から無線受信した搬送波信号を、パケット無線送受信回路２０２に出力する。また、パケット無線送受信回路２０２から入力された搬送波信号を、無線伝送装置１０２に無線送信する。
【００４６】
パケット無線送受信回路２０２は、アンテナ２０６を介して受信された搬送波信号をベースバンド信号に復調し、パケット処理回路２０３に出力する。また、パケット処理回路２０３から入力されるベースバンド信号を搬送波信号に変調し、アンテナ２０６に出力する。
【００４７】
パケット処理回路２０３は、パケット無線送受信回路２０２より入力されるベースバンド信号から所定のパケット分離処理により映像データ、音声データ及び所定の制御コマンドのみを取り出すことにより、受信されたパケットをデコードする。そして、映像データ及び音声データを有線送受信回路２０４に出力し、制御コマンドをコントローラ２０１に出力する。また、音声有線受信回路２０５からから入力される音声データ、またはコントローラ２０１から入力される制御コマンドを、所定のパケット形式のデジタル信号に変換してパケット無線送受信回路２０２に出力する。
【００４８】
有線送受信回路２０４は、映像音声データもしくは映像データのみを、アンテナ２０６、パケット無線送受信回路２０２、及びパケット処理回路２０３を介して無線伝送装置１０２から受信し、映像音声伝送ケーブル１０９に伝送するためのデータ形式に変換して、映像音声伝送ケーブル１０９に出力する。また、有線送受信回路２０４は、映像音声伝送ケーブル１０９のＣＥＣ信号線を用いて、映像音声出力装置１０８とコントローラ２０１との間のＣＥＣメッセージを中継する。
【００４９】
音声有線受信回路２０５は、音声伝送ケーブル１１０を介して映像音声出力装置１０８から受信した音声データを、パケット処理回路２０３に出力する。
【００５０】
コントローラ２０１は、アンテナ２０６を介して無線信号を受信した場合、及び、音声有線受信回路２０５により音声データを受信した場合において、パケット無線送受信回路２０２、パケット処理回路２０３、有線送受信回路２０４、音声有線受信回路２０５との間で制御データの交換を行い、それぞれの制御を行う。また、コントローラ２０１は、アンテナ２０６、パケット無線送受信回路２０２、及びパケット処理回路２０３を介して、無線伝送装置１０２と制御コマンドの送受信を行う。さらに、コントローラ２０１は、有線送受信回路２０４を介して映像音声出力装置１０８と制御コマンドの送受信を行う。
【００５１】
ここで、アンテナ２０６、パケット無線送受信回路２０２、パケット処理回路２０３、及び有線送受信回路２０４は、制御コマンドとしてのＣＥＣメッセージを受信する受信部として機能する。また、コントローラ２０１は、受信部で受信したＣＥＣメッセージに基づいて、無線伝送装置１０１、１０２の接続形態を選択し、選択した接続形態で両者を接続する接続形態選択部として機能する。これらの機能の詳細は、後述する。
【００５２】
図３は、本発明の第１の実施形態における無線伝送装置１０２の一構成例を示すブロック図である。図３において、無線伝送装置１０２は、アンテナ３０６を備えたパケット無線送受信回路３０２と、パケット処理回路３０３と、映像データ及び音声データの受信機能を有する有線送受信回路３０４と、音声データの送信機能を有する音声有線送信回路３０５と、これらの回路等３０２〜３０５の動作を制御するコントローラ３０１とを備えて構成される。
【００５３】
なお、図３に示される各構成要素３０１〜３０６は、図１に示される同一名称の構成要素２０１〜２０６に対応するので、共通する機能の詳しい説明は省略し、相違点について詳しく説明する。
【００５４】
有線送受信回路３０４は、映像音声伝送ケーブル１０６を介して音声出力装置１０３から受信した映像データ及び音声データを、パケット処理回路３０３に出力する。また、有線送受信回路３０４は、映像音声伝送ケーブル１０６のＣＥＣ信号線を用いて、音声出力装置１０３とコントローラ３０１との間のＣＥＣメッセージを中継する。
【００５５】
パケット処理回路３０３は、有線送受信回路３０４から入力される映像データ及び音声データを、所定のパケットの形式のデジタル信号に変換して、パケット無線送受信回路３０２に出力する。また、パケット処理回路３０３は、パケット無線送受信回路３０２から入力されるベースバンド信号から所定のパケット分離処理により、所定の制御コマンドのみを取り出した後にコントローラ３０１に出力する。さらに、入力されるベースバンド信号に音声データが含まれる場合は、当該音声データを音声有線送信回路３０５に出力する。
【００５６】
パケット無線送受信回路３０２は、パケット処理回路３０３から入力されるベースバンド信号を搬送波信号に変調し、変調後の無線信号を、アンテナ３０６を介して無線伝送装置１０１に無線送信する。また、パケット無線送受信回路３０２は、アンテナ３０６を介して無線伝送装置１０１から受信した搬送波信号をベースバンド信号に復調し、パケット処理回路３０３に出力する。
【００５７】
音声有線送信回路３０５は、パケット処理回路３０３から入力される音声データを、音声伝送ケーブル１０７を介して音声出力装置１０３に出力する。
【００５８】
また、コントローラ３０１は、上記処理において、有線送受信回路３０４、パケット処理回路３０３、パケット無線送受信回路３０２、及び音声有線送信回路３０５との間で制御データの交換を行い、それぞれの制御を行う。
【００５９】
図４は、本発明の第１の実施形態における音声出力装置１０３の一構成例を示すブロック図である。図４において、音声出力装置１０３は、映像データ及び音声データの受信機能を有する有線送受信回路４０２と、映像音声処理回路４０３と、映像データ及び音声データの送信機能を有する有線送受信回路４０４と、音声データの受信機能を有する音声有線受信回路４０５と、スピーカ４０６と、これらの回路等４０２〜４０５の動作を制御するコントローラ４０１とを備えて構成される。
【００６０】
まず、映像音声再生装置１０４から映像音声伝送ケーブル１０５を介してデータが入力された場合の動作について説明する。
【００６１】
有線送受信回路４０２は、映像音声伝送ケーブル１０５を介して映像音声再生装置１０４から受信した映像データ及び音声データを、映像音声処理回路４０３に出力する。また、有線送受信回路４０２は、映像音声伝送ケーブル１０５のＣＥＣ信号線を用いて、映像音声再生装置１０４とコントローラ４０１との間のＣＥＣメッセージを中継する。
【００６２】
有線送受信回路４０４は、映像音声処理回路４０３から入力された映像音声データもしくは映像データを、所定のデータ形式に変換して、映像音声伝送ケーブル１０６を介して無線伝送装置１０２に出力する。また、有線送受信回路４０４は、映像音声伝送ケーブル１０６のＣＥＣ信号線を用いて、無線伝送装置１０２とコントローラ４０１との間のＣＥＣメッセージを中継する。
【００６３】
映像音声処理回路４０３は、シアターモードの時、コントローラ４０１の指示に従って、有線送受信回路４０２又は音声有線受信回路４０５から入力された音声データに所定の信号処理やＤ／Ａ変換処理を実行した後、スピーカ４０６に出力する。また、有線送受信回路４０２から入力された映像データを有線送受信回路４０４に出力する。一方、映像音声処理回路４０３は、通常モードの時、コントローラ４０１の指示に従って、有線送受信回路４０２から入力された映像データ及び音声データを有線送受信回路４０４に出力する。
【００６４】
次に、無線伝送装置１０２から、音声伝送ケーブル１０７を介して音声データが入力された場合の動作について説明する。
【００６５】
音声有線受信回路４０５は、音声伝送ケーブル１０７を介して無線伝送装置１０２から受信した音声データを、映像音声処理回路４０３に出力する。この場合、映像音声処理回路４０３は、シアターモードの時、コントローラ４０１の指示に従って、入力された音声データに所定の信号処理やＤ／Ａ変換処理を実行した後、スピーカ４０６に出力する。一方、映像音声処理回路４０３は、通常モードの時、コントローラ４０１の指示に従って、入力された音声データを破棄する。
【００６６】
コントローラ４０１は、上記処理において、有線送受信回路４０２、映像音声処理回路４０３、有線送受信回路４０４、及び音声有線受信回路４０５との間で制御データの交換を行い、それぞれの制御を行う。
【００６７】
図５は、本発明の第１の実施形態における映像音声再生装置１０４の一構成例を示すブロック図である。図５において、映像音声再生装置１０４は、映像音声再生回路５０２と、映像音声処理回路５０３と、映像データ及び音声データの送信機能を有する有線送受信回路５０４と、これらの回路等５０２〜５０４の動作を制御するコントローラ５０１とを備えて構成される。
【００６８】
映像音声再生回路５０２は、例えば、ＤＶＤドライブであって、ＤＶＤなどの記録媒体から映像データ及び音声データを再生して、映像音声処理回路５０３に出力する。映像音声処理回路５０３は、映像音声再生回路５０２から入力される映像データ及び音声データに所定の信号処理を実行した後、有線送受信回路５０４に出力する。
【００６９】
有線送受信回路５０４は、映像音声処理回路５０３から入力される映像データ及び音声データを、映像音声伝送ケーブル１０５に伝送するためのデータ形式に変換して、映像音声伝送ケーブル１０５に出力する。また、有線送受信回路４０４は、映像音声伝送ケーブル１０５のＣＥＣ信号線を用いて、音声出力装置１０３とコントローラ５０１との間のＣＥＣメッセージを中継する。また、コントローラ５０１は、映像音声再生回路５０２、映像音声処理回路５０３、及び有線送受信回路５０４との間で制御データの交換を行い、それぞれの制御を行う。
【００７０】
なお、映像音声再生装置１１１は、映像音声伝送ケーブル１１２を介して映像音声出力装置１０８と有線接続されている点を除いて、映像音声再生装置１０４の構成と同一であるので、説明を省略する。
【００７１】
図６は、本発明の第１の実施形態における映像音声出力装置１０８の構成を示すブロック図である。
【００７２】
図６において、映像音声出力装置１０８は、映像データ及び音声データの受信機能を有する有線送受信回路６０２と、音声データの送信機能を有する音声有線送信回路６０３と、映像音声処理回路６０４と、スピーカ６０５と、ディスプレイ６０６と、放送波受信回路６０７と、これらの回路等６０２〜６０４、６０７の動作を制御するコントローラ６０１とを備えて構成される。なお、図２４に示される映像出力装置１１３は、スピーカ６０５を有しない点で映像音声出力装置１０８と異なり、その他の構成要素は映像音声出力装置１０８と共通する。
【００７３】
まず、映像音声伝送ケーブル１０９、もしくは映像音声伝送ケーブル１１２から映像データ及び音声データを受信した場合の映像音声出力装置１０８の動作を説明する。
【００７４】
有線送受信回路６０２は、映像音声伝送ケーブル１０９を介して無線伝送装置１０１から受信した映像音声データ若しくは映像データを、映像音声処理回路６０４に出力する。また、映像音声伝送ケーブル１１２を介して映像音声再生装置１１１から受信した映像データ及び音声データを、映像音声処理回路６０４に出力する。また、有線送受信回路６０２は、映像音声伝送ケーブル１０９のＣＥＣ信号線を用いて、無線伝送装置１０１とコントローラ６０１との間のＣＥＣメッセージを中継する。さらに、有線送受信回路６０２は、映像音声伝送ケーブル１１２のＣＥＣ信号線を用いて、映像音声再生装置１１１とコントローラ６０１との間のＣＥＣメッセージを中継する。
【００７５】
映像音声処理回路６０４は、有線送受信回路６０２から入力される映像データを所定の信号処理やＤ／Ａ変換処理を実行した後、ディスプレイ６０６に出力して表示する。また、映像音声処理回路６０４は、通常モードの場合、有線送受信回路６０２から入力される音声データを所定の信号処理やＤ／Ａ変換処理を実行した後、スピーカ６０５に出力するとともに音声有線送信回路６０３に出力する。一方、映像音声処理回路６０４は、シアターモードの場合、有線送受信回路６０２から入力される音声データをスピーカ６０５へ出力せず、音声有線送信回路６０３に出力する。一方、映像出力装置１１３の映像音声処理回路６０４は、音声データを常に音声有線送信回路６０３に出力する。
【００７６】
音声有線送信回路６０３は、映像音声処理回路６０４から入力される音声データを、音声伝送ケーブル１１０を介して無線伝送装置１０１に出力する。また、コントローラ６０１は、有線送受信回路６０２、音声有線送信回路６０３、映像音声処理回路６０４、及び放送波受信回路６０７との間で制御データの交換を行い、それぞれの制御を行う。
【００７７】
次に、放送波を受信した場合の映像音声出力装置１０８の動作を説明する。
【００７８】
放送波受信回路６０７は、放送波を受信し、所定の信号処理を実行して得られる映像データ及び音声データを、映像音声処理回路６０４に出力する。放送波の具体例は特に限定されないが、アナログ放送、地上波デジタル放送、ＢＳ（Ｂｒｏａｄｃａｓｔ  Ｓａｔｅｌｌｉｔｅ）放送、ＣＳ（Ｃｏｍｍｕｎｉｃａｔｉｏｎ  Ｓａｔｅｌｌｉｔｅ）放送等のあらゆる放送波を受信することができる。ただし、放送波受信回路６０７は、映像音声出力装置１０８及び映像出力装置１１３の必須の構成要素ではなく、省略することができる。
【００７９】
映像音声処理回路６０４は、映像データを所定の信号処理やＤ／Ａ変換処理を実行した後、ディスプレイ６０６に出力して表示する。また、映像音声処理回路６０４は、通常モード時、入力される音声データを所定の信号処理やＤ／Ａ変換処理を実行した後、スピーカ６０５に出力するとともに、音声有線送信回路６０３に出力する。一方、シアターモード時、映像音声処理回路６０４は、スピーカ６０５への音声出力は行わず、音声有線送信回路６０３に音声データを出力する。
【００８０】
なお、図２〜図６に示される各回路は、当該回路の処理の一部又は全部をプログラムによって実現した処理部に置き換えることができる。
【００８１】
図７Ａは、接続形態選択部として機能する無線伝送装置１０１のコントローラ２０１の処理のフローチャートの一例を示す図である。
【００８２】
コントローラ２０１は、まず、映像音声伝送ケーブル１０９のＨＰＤ（Ｈｏｔ  Ｐｌｕｇ  Ｄｅｔｅｃｔ）信号線の状態を、有線送受信回路２０４から取得する（Ｓ７０１）。ＨＰＤ信号線の信号レベルがＬｏｗである場合（Ｓ７０１でＮｏ）、コントローラ２０１は、映像音声出力装置１０８が停止状態であると判断して、処理を完了する。一方、ＨＰＤ信号線の信号レベルがＨｉｇｈの場合（Ｓ７０１でＹｅｓ）、コントローラ２０１は、映像音声出力装置１０８が稼動状態であると判断して、ＣＥＣメッセージを受信するまで待機する（Ｓ７０２）。
【００８３】
同様に、無線伝送装置１０２は、音声出力装置１０３が稼動しているか否かを判断する。このとき、無線伝送装置１０２のコントローラ３０１は、映像音声伝送ケーブル１０６の“＋５Ｖ  ＰＯＷＥＲ”信号線の信号レベルを有線送受信回路３０４から取得することによって、判断する。
【００８４】
次に、コントローラ２０１は、アンテナ２０６、パケット無線送受信回路２０２、及びパケット処理回路２０３を経由して、又は有線送受信回路２０４を経由してＣＥＣメッセージを受信したとき（Ｓ７０２）、受信したＣＥＣメッセージのオペコードを参照することにより、受信したＣＥＣメッセージのメッセージ種別が“Ｓｅｔ  Ｓｔｒｅａｍ  Ｐａｔｈ”メッセージ、もしくは“Ａｃｔｉｖｅ  Ｓｏｕｒｃｅ”メッセージのいずれかであるか否かを確認する（Ｓ７０３）。なお、この例では、位置特定メッセージの一例として、“Ｓｅｔ  Ｓｔｒｅａｍ  Ｐａｔｈ”メッセージ、及び“Ａｃｔｉｖｅ  Ｓｏｕｒｃｅ”メッセージを挙げたが、これに限ることなく、ソースデバイスの位置を特定可能なあらゆるメッセージで代替することができる。
【００８５】
受信したＣＥＣメッセージが上記のいずれでもない場合（Ｓ７０３でＮｏ）、コントローラは、処理を完了する。一方、上記のいずれかであった場合（Ｓ７０３でＹｅｓ）、コントローラ２０１は、受信したメッセージのオペランド領域に含まれる物理アドレスを確認する（Ｓ７０４）。なお、ここでは、物理アドレスの一例として、ＣＥＣ物理アドレスを用いて説明する。また、上記のＣＥＣメッセージのオペランド領域に含まれる物理アドレスは、映像データ及び音声データを出力するソースデバイスの物理アドレスである。
【００８６】
物理アドレスが無線伝送装置１０２の入力側（以下「上流」という）に接続された装置であることを示す物理アドレスであった場合（Ｓ７０４でＹｅｓ）、コントローラ２０１は、順方向接続処理を実施する（Ｓ７０６）。一方、物理アドレスが無線伝送装置１０２の上流に接続された装置であることを示す物理アドレスでなかった場合（Ｓ７０４でＮｏ）、コントローラ２０１は、逆方向接続処理を実施する（Ｓ７０５）。
【００８７】
ここで、「順方向接続」とは、ソースデバイスが無線伝送装置１０２の入力側に存在する場合に、無線伝送装置１０２から無線伝送装置１０１に向かって、ＨＲＰを用いて無線伝送を行う第１の無線接続形態を指す。このとき無線伝送されるデータは、映像データ及び音声データの両方（通常モード）、又は映像データのみ（シアターモード）である。
【００８８】
一方、「逆方向接続」とは、ソースデバイスが無線伝送装置１０１の入力側に存在する場合に、無線伝送装置１０１から無線伝送装置１０２に向かって、ＬＲＰを用いて無線伝送を行う第２の無線接続形態を指す。このとき無線伝送されるデータは、音声データのみ（通常モード、シアターモード両方）である。
【００８９】
第１の実施形態において、無線伝送装置１０２の入力側（上流）には、物理アドレス［１．０．０．０］の音声出力装置１０３、及び物理アドレス［１．１．０．０］の映像音声再生装置１０４が接続されている。つまり、コントローラ２０１は、受信したＣＥＣメッセージのオペランド領域に設定されている物理アドレスが［１．ｘ．ｘ．ｘ］（ｘは自然数）であるか否かを確認する。
【００９０】
ここで、物理アドレスの割り当て方法の一例を説明する。まず、ルートデバイスである映像音声出力装置１０８には、デフォルトで物理アドレス［０．０．０．０］が割り当てられる。次に、映像音声伝送ケーブル１０９を介して映像音声出力装置１０８の有線送受信回路６０２に接続された無線伝送装置１０１は、映像音声出力装置１０８のＥＤＩＤ（Ｅｘｔｅｎｄｅｄ  Ｄｉｓｐｌａｙ  Ｉｄｅｎｔｉｆｉｃａｔｉｏｎ  Ｄａｔａ：表示手段の設定情報）を読み出し、ＥＤＩＤに含まれる物理アドレスを参照する。これにより、無線伝送装置１０１は、有線送受信回路６０２に接続される機器に割り当てられる物理アドレス［１．０．０．０］を検出することができる。また、無線伝送装置１０１は、読み出したＥＤＩＤをコントローラ２０１に記憶させると共に、無線伝送装置１０２に無線伝送する。
【００９１】
一方、無線伝送装置１０２は、自身のＥＤＩＤに無線伝送装置１０１から受信したＥＤＩＤに含まれる物理アドレスを設定する。これにより、無線伝送装置１０２の入力側に接続される音声出力装置１０３に物理アドレス［１．０．０．０］が設定される。さらに、音声出力装置１０３に接続される映像音声再生装置１０４には、従来の割り当て方法に従って、物理アドレス［１．１．０．０］が設定される。
【００９２】
なお、上記に示す物理アドレスは一例であり、他の物理アドレスであっても、同様の処理を実施することにより、無線伝送装置１０１は物理アドレスが無線伝送装置１０２の上流に接続されている装置に割り当てられたものか否かを判別することが可能である。
【００９３】
また、「入力側」及び「上流」とは、ＨＤＭＩのソース機器が接続される側を指す。具体的には、例えば、音声出力装置１０３及び映像音声再生装置１０４は、無線伝送装置１０２に対してソース機器として機能する。従って、音声出力装置１０３及び映像音声再生装置１０４は、無線伝送装置１０２の入力側（若しくは、上流）に接続されている。同様に、無線伝送装置１０１及び映像音声再生装置１１１は、映像音声出力装置１０８に対してソース機器として機能する。従って、無線伝送装置１０１及び映像音声再生装置１１１は、映像音声出力装置１０８の入力側（若しくは、上流）に接続されている。他の機器間の関係についても、映像音声伝送ケーブル１０５、１０６、１０９、１１２の接続状態を参照することにより、同様に表現することができる。また、上記の対義語として、「出力側」及び「下流」とは、ＨＤＭＩのシンク機器が接続される側を指す。
【００９４】
図７Ｂは、接続形態選択部として機能する無線伝送装置１０１のコントローラ２０１の処理のフローチャートの他の例を示す図である。図７Ａに示されるフローチャートとの相違点は、Ｓ７０３とＳ７０４との間に、接続開始条件を満たすか否かを判断する処理（Ｓ７０７）が追加されている点である。以下、図７Ａとの共通点の説明は省略し、相違点を中心に説明する。
【００９５】
コントローラ２０１は、接続開始条件を確認する（Ｓ７０７）。そして、コントローラ２０１は、全ての接続開始条件を満たしている場合（Ｓ７０７でＹｅｓ）に、受信したメッセージのオペランド領域に含まれる物理アドレスを確認する処理（Ｓ７０４）を実行する。一方、接続開始条件を１つでも満たしていない場合（Ｓ７０７でＮｏ）、以降の処理をスキップする。
【００９６】
接続開始条件の具体例及びその確認方法は、後述する。なお、接続開始条件は、無線伝送装置１０１、１０２の間でのデータの送受信の向き（順方向接続、又は逆方向接続）等によって異なってもよい。その場合、図７Ｂに示される接続開始条件の判断処理（Ｓ７０７）を、Ｓ７０４とＳ７０５又はＳ７０６の間で実行してもよい。
【００９７】
次に、図８〜図１２を参照して、映像音声再生装置１０４がソースデバイスとなる場合の処理について説明する。図８は、映像音声再生装置１０４によって再生されたコンテンツを、シアターモードで視聴する場合の映像データ及び音声データの流れを示す図である。図９〜図１２は、無線伝送システムを構成する各装置の処理シーケンスを示す図である。
【００９８】
図８に示される例では、映像音声再生装置１０４から出力された映像データは、音声出力装置１０３、無線伝送装置１０２、及び無線伝送装置１０１を経由して映像音声出力装置１０８のディスプレイ６０６から出力される。また、映像音声再生装置１０４から出力された音声データは、音声出力装置１０３のスピーカ４０６から出力される。ここで、無線伝送装置１０２と無線伝送装置１０１との間で、映像データの伝送を行うためには、順方向接続を確立する必要がある。
【００９９】
そこで、上記のように映像データ及び音声データを伝送する以前に、例えば、映像音声再生装置１０４は、オペランド領域に映像音声再生装置１０４の物理アドレス［１．１．０．０］を設定した“Ａｃｔｉｖｅ  Ｓｏｕｒｃｅ”メッセージをブロードキャストする。または、映像音声出力装置１０８は、オペランド領域に映像音声再生装置１０４の物理アドレス［１．１．０．０］を設定した“Ｓｅｔ  Ｓｔｒｅａｍ  Ｐａｔｈ”メッセージをブロードキャストする。これらのＣＥＣメッセージを用いて、順方向接続を行う処理について、図９〜図１２を用いて説明する。
【０１００】
図９に、映像音声出力装置１０８から“Ｓｅｔ  Ｓｔｒｅａｍ  Ｐａｔｈ”メッセージが送信される場合のシーケンスの一例を示す。“Ｓｅｔ  Ｓｔｒｅａｍ  Ｐａｔｈ”メッセージは、オペランド領域に設定される物理アドレスで識別される機器がソースデバイスであることを示すＣＥＣメッセージである。このＣＥＣメッセージは、ソースデバイス自身（この例では、映像音声再生装置１０４）が送信してもよいし、ソースデバイスでない他の機器（この例では、映像音声出力装置１０８）が送信してもよい。
【０１０１】
映像音声出力装置１０８の有線送受信回路６０２は、映像音声伝送ケーブル１０９、１１２のＣＥＣ信号線に、“Ｓｅｔ  Ｓｔｒｅａｍ  Ｐａｔｈ”メッセージを送信する。このＣＥＣメッセージのオペランド領域には、ソースデバイスとなる映像音声再生装置１０４の物理アドレス［１．１．０．０］が設定されている。
【０１０２】
無線伝送装置１０１の有線送受信回路２０４は、このＣＥＣメッセージを受信し、コントローラ２０１に出力する。コントローラ２０１は、有線送受信回路２０４から入力されたＣＥＣメッセージを、パケット処理回路２０３、パケット無線送受信回路２０２、及びアンテナ２０６を介して無線伝送装置１０２に送信する。そして、このＣＥＣメッセージは、無線伝送装置１０２及び音声出力装置１０３で中継されて、映像音声再生装置１０４に到達する。
【０１０３】
また、コントローラ２０１は、有線送受信回路２０４から入力されたＣＥＣメッセージに含まれる物理アドレス［１．１．０．０］を参照し、無線伝送装置１０２の上流に接続された装置の物理アドレスであることを認識する。
【０１０４】
ここで、無線伝送装置１０１のコントローラ２０１は、接続開始条件を満たしているか否かを確認してもよい。この例においては、例えば、下記の接続開始条件（ａ１）〜（ｄ１）を判断してもよい。なお、この接続開始条件（ａ１）〜（ｄ１）は、図１０〜図１２に示される例でも共通して利用することができる。
【０１０５】
（ａ１）システム全体がシアターモードで動作している。
【０１０６】
（ｂ１）無線伝送装置１０１が映像データの有線出力機能を保有している。
【０１０７】
（ｃ１）無線伝送装置１０１が映像データの無線受信機能を保有している。
【０１０８】
（ｄ１）無線伝送装置１０１と映像音声出力装置１０８とが接続されている。
【０１０９】
まず、（ａ１）の確認は、無線伝送装置１０１のコントローラ２０１が音声出力装置１０３のコントローラ４０１、及び／又は、映像音声出力装置１０８のコントローラ６０１との間で制御信号を交換し、シアターモードで動作するか通常モードで動作するかを決定することで行われる。
【０１１０】
例えば、映像音声出力装置１０８のコントローラ６０１は、現在の動作モードがシアターモードであるか通常モードであるかを記憶する。例えば、動作モードは、ユーザによって設定される。無線伝送装置１０１のコントローラ２０１は、映像音声出力装置１０８のコントローラ６０１から動作モードを取得する。一方、（ｂ１）〜（ｄ１）で示す伝送状態情報については、無線伝送装置１０１自身が保持している情報で判断可能であるので、詳しい説明は省略する。
【０１１１】
コントローラ２０１は、上記４つの接続開始条件（ａ１）〜（ｄ１）を全て満たしている場合に、無線伝送装置１０２との無線接続を確立する処理に進む。一方、コントローラ２０１は、上記４つの接続開始条件（ａ１）〜（ｄ１）のいずれか１つでも満たされていない場合、無線伝送装置１０２との無線接続を開始せずに処理を完了する。この時、コントローラ２０１は、無線接続を開始しなかった原因を映像音声出力装置１０８に送信し、映像音声出力装置１０８のディスプレイ６０６もしくはスピーカ６０５を通してユーザに通知してもよい。例えば、（ｄ１）が満たされていなかった場合は、「映像ケーブルが接続されていません。」や「ディスプレイに映像ケーブルを接続してください。」などのメッセージをディスプレイ６０６に表示したり、スピーカ６０５を通して音声で通知する。
【０１１２】
そして、コントローラ２０１は、順方向接続を確立するための接続要求を、ＬＲＰを用いて無線伝送装置１０２に送信する。つまり、接続形態選択部として機能するコントローラ２０１は、第１の接続形態を選択する。
【０１１３】
無線伝送装置１０２は、無線伝送装置１０２から接続要求を受信したとき、接続を許可する接続応答を、ＬＲＰを用いて無線伝送装置１０１に送信する。さらに、無線伝送装置１０２は、映像データを伝送するための無線帯域（ＨＲＰ）を予約する。その後、映像データのストリーム伝送を開始することを示すストリーム開始通知を、ＬＲＰを用いて無線伝送装置１０１に送信する。
【０１１４】
以上の処理により、映像音声再生装置１０４から出力される映像データは、順方向接続された無線を介して、映像音声出力装置１０８まで伝送される。なお、上記は「シアターモード」を前提として説明したが、予約した無線帯域を用いて映像データ及び音声データの両方を無線伝送する点で相違する以外は、「通常モード」の場合も同一の処理が実行される。
【０１１５】
また、図９では無線伝送装置１０１が接続要求を送信した例を説明したが、これに限ることなく、無線伝送装置１０２が接続要求を送信し、無線伝送装置１０１が接続応答を送信してもよい。この場合、上記の接続開始条件（ａ１）〜（ｄ１）は、無線伝送装置１０２によって確認される。この場合の（ｂ１）〜（ｄ１）の確認方法は、図２８〜図３０を用いて後述する。なお、図２８では、無線伝送装置１０１側からデバイス情報要求信号が送信され、無線伝送装置１０２側からデバイス情報応答信号が送信される例を説明するが、この場合においては、信号の送信方向が逆向きとなる。
【０１１６】
一方、帯域予約及びストリーム開始通知の送信は、データの送信側、つまり、順方向接続の場合は無線伝送装置１０２、逆方向接続の場合は無線伝送装置１０１によって実行される。以降のシーケンスについても同様である。
【０１１７】
図１０に、音声データを送信するための逆方向接続が既に確立されている場合において、新たに順方向接続を確立するためのシーケンスの一例を示す。このような状況は、例えば、映像音声出力装置１０８の放送波受信回路６０７で受信したコンテンツをシアターモードで視聴している時に、映像音声再生装置１０４に挿入されたＤＶＤのコンテンツをシアターモードで視聴し始める場合に起こり得る。なお、既に説明したシーケンスとの共通点の詳しい説明は省略し、相違点を詳しく説明する。
【０１１８】
まず、無線伝送装置１０１、１０２の間では、音声データを伝送するための無線帯域（ＬＲＰ）が予約されており、映像音声出力装置１０８から音声出力装置１０３に音声データが伝送されている。この状況で、ソースデバイスが映像音声出力装置１０８から映像音声再生装置１０４に切り替えられると、映像音声出力装置１０８は、物理アドレス［１．１．０．０］が設定された“Ｓｅｔ  Ｓｔｒｅａｍ  Ｐａｔｈ”メッセージを送信する。
【０１１９】
無線伝送装置１０１は、映像音声出力装置１０８から受信したＣＥＣメッセージを無線伝送装置１０２に中継すると共に、当該ＣＥＣメッセージに含まれる物理アドレス［１．１．０．０］を参照し、無線伝送装置１０２の上流に接続された装置の物理アドレスであることを認識する。
【０１２０】
次に、無線伝送装置１０１は、既に確立している逆方向接続を切断するための切断通知を、ＬＲＰを用いて無線伝送装置１０２に送信する。なお、無線伝送装置１０１、１０２の間で送受信される制御コマンド（ＣＥＣメッセージ、接続要求、接続応答、切断通知、ストリーム開始通知等）は、所定の時間間隔毎に割り当てられたランダムアクセス区間に、ＬＲＰを用いて送受信されるので、図１０のように、ＬＲＰを用いて音声データが伝送されている場合においても、送受信可能である。他の例についても同様である。
【０１２１】
無線伝送装置１０１は、予約帯域を解放する帯域解放処理を実施した後、順方向接続を確立するための接続要求を無線伝送装置１０２に送信する。接続要求を受信した無線伝送装置１０２は、接続を許可する接続応答を無線伝送装置１０１に送信する。そして、無線伝送装置１０２は、映像データを伝送するための無線帯域（ＨＲＰ）を予約する。その後、無線伝送装置１０２は、映像データのストリーム伝送を開始することを示すストリーム開始通知を無線伝送装置１０１に送信する。
【０１２２】
以上の処理により、映像音声再生装置１０４から出力される映像データは、順方向接続された無線を介して、映像音声出力装置１０８まで伝送される。なお、図１０では無線伝送装置１０１が切断要求を送信した例を説明したが、これに限ることなく、無線伝送装置１０２が切断要求を送信してもよい。一方、帯域解放処理は、データの送信側、つまり、順方向接続の場合は無線伝送装置１０２、逆方向接続の場合は無線伝送装置１０１によって実行される。以降のシーケンスについても同様である。
【０１２３】
図１１に、映像音声再生装置１０４から“Ａｃｔｉｖｅ  Ｓｏｕｒｃｅ”メッセージが送信される場合のシーケンスの一例を示す。“Ａｃｔｉｖｅ  Ｓｏｕｒｃｅ”メッセージは、オペランド領域に設定される物理アドレスで識別される機器がソースデバイスであることを示すＣＥＣメッセージである。このＣＥＣメッセージは、ソースデバイス自身（この例では、映像音声再生装置１０４）が送信する。なお、既に説明したシーケンスとの共通点の詳しい説明は省略し、相違点を詳しく説明する。
【０１２４】
映像音声再生装置１０４の有線送受信回路５０４は、映像音声伝送ケーブル１０５のＣＥＣ信号線に、“Ａｃｔｉｖｅ  Ｓｏｕｒｃｅ”メッセージを送信する。このＣＥＣメッセージのオペランド領域には、ソースデバイスとなる映像音声再生装置１０４の物理アドレス［１．１．０．０］が設定されている。また、このＣＥＣメッセージは、音声出力装置１０３及び無線伝送装置１０２で中継されて、無線伝送装置１０１に到達する。
【０１２５】
無線伝送装置１０１のアンテナ２０６は、このＣＥＣメッセージを受信し、パケット無線送受信回路２０２及びパケット処理回路２０３を介してコントローラ２０１に出力する。コントローラ２０１は、パケット処理回路２０３から入力されたＣＥＣメッセージを、有線送受信回路２０４を介して映像音声出力装置１０８に送信する。そして、このＣＥＣメッセージは、映像音声出力装置１０８で中継されて、映像音声再生装置１１１に到達する。
【０１２６】
また、コントローラ２０１は、パケット処理回路２０３から入力されたＣＥＣメッセージに含まれる物理アドレス［１．１．０．０］を参照し、無線伝送装置１０２の上流に接続された装置の物理アドレスであることを認識する。そして、無線伝送装置１０１は、順方向接続を確立するための接続要求を無線伝送装置１０２に送信する。
【０１２７】
接続要求を受信した無線伝送装置１０２は、接続を許可する接続応答を無線伝送装置１０１に送信する。そして、無線伝送装置１０２は、映像データを伝送するための無線帯域（ＨＲＰ）を予約する。その後、無線伝送装置１０２は、映像データのストリーム伝送を開始することを示すストリーム開始通知を無線伝送装置１０１に送信する。以上の処理により、映像音声再生装置１０４から出力される映像データは、順方向接続された無線を介して、映像音声出力装置１０８まで伝送される。
【０１２８】
図１２に、音声データを送信するための逆方向接続が既に確立されている場合において、新たに順方向接続を確立するためのシーケンスの一例を示す。なお、既に説明したシーケンスとの共通点の詳しい説明は省略し、相違点を詳しく説明する。
【０１２９】
まず、無線伝送装置１０１、１０２の間では、音声データを伝送するための無線帯域（ＬＲＰ）が予約されており、映像音声出力装置１０８から音声出力装置１０３に音声データが伝送されている。この状況で、映像音声再生装置１０４は、物理アドレス［１．１．０．０］が設定された“Ａｃｔｉｖｅ  Ｓｏｕｒｃｅ”メッセージを送信する。
【０１３０】
無線伝送装置１０１は、無線伝送装置１０２から受信したＣＥＣメッセージを映像音声出力装置１０８に中継すると共に、当該ＣＥＣメッセージに含まれる物理アドレス［１．１．０．０］を参照し、無線伝送装置１０２の上流に接続された装置の物理アドレスであることを認識する。
【０１３１】
次に、無線伝送装置１０１は、既に確立している逆方向接続を切断するための切断通知を無線伝送装置１０２に送信する。無線伝送装置１０１は、帯域解放処理を実施した後、順方向接続を確立するための接続要求を無線伝送装置１０２に送信する。接続要求を受信した無線伝送装置１０２は、接続を許可する接続応答を無線伝送装置１０１に送信する。また、無線伝送装置１０２は、映像データを伝送するための無線帯域（ＨＲＰ）を予約する。その後、無線伝送装置１０２は、映像データのストリーム伝送を開始することを示すストリーム開始通知を無線伝送装置１０１に送信する。以上の処理により、映像音声再生装置１０４から出力される映像データは、順方向接続された無線を介して、映像音声出力装置１０８まで伝送される。
【０１３２】
次に、図１３〜図１７を参照して、映像音声出力装置１０８がソースデバイスとなる場合の処理について説明する。図１３は、映像音声出力装置１０８に入力される放送波からの番組を、シアターモードで視聴している場合の映像データ及び音声データの流れを示す図である。図１４〜図１７は、無線伝送システムを構成する各装置の処理シーケンスを示す図である。
【０１３３】
図１３に示される例では、映像データは、映像音声出力装置１０８のディスプレイ６０６から出力される。また、映像音声出力装置１０８から出力される音声データは、無線伝送装置１０１、及び無線伝送装置１０２を経由して音声出力装置１０３のスピーカ４０６から出力される。ここで、無線伝送装置１０１と無線伝送装置１０２の間で音声データの伝送を行うためには、逆方向接続を確立する必要がある。
【０１３４】
そこで、上記のように音声データを伝送する以前に、例えば、映像音声出力装置１０８は、オペランド領域に映像音声出力装置１０８の物理アドレス［０．０．０．０］を設定した“Ａｃｔｉｖｅ  Ｓｏｕｒｃｅ”メッセージブロードキャストする。または、映像音声出力装置１０８は、オペランド領域に映像音声出力装置１０８の物理アドレス［０．０．０．０］を設定した“Ｓｅｔ  Ｓｔｒｅａｍ  Ｐａｔｈ”をブロードキャストする。これらのＣＥＣメッセージを用いて、逆方向接続を行う処理について、図１４〜図１７を用いて説明する。
【０１３５】
図１４に、映像音声出力装置１０８から“Ｓｅｔ  Ｓｔｒｅａｍ  Ｐａｔｈ”メッセージが送信される場合のシーケンスの一例を示す。なお、既に説明したシーケンスとの共通点の詳しい説明は省略し、相違点を詳しく説明する。
【０１３６】
映像音声出力装置１０８の有線送受信回路６０２は、映像音声伝送ケーブル１０９、１１２のＣＥＣ信号線に、“Ｓｅｔ  Ｓｔｒｅａｍ  Ｐａｔｈ”メッセージを送信する。このＣＥＣメッセージのオペランド領域には、ソースデバイスとなる映像音声出力装置１０８の物理アドレス［０．０．０．０］が設定されている。
【０１３７】
無線伝送装置１０１は、映像音声出力装置１０８から受信したＣＥＣメッセージを無線伝送装置１０２に中継すると共に、当該ＣＥＣメッセージに含まれる物理アドレス［０．０．０．０］を参照し、無線伝送装置１０２の上流に接続された装置の物理アドレスでないことを認識する。
【０１３８】
ここで、無線伝送装置１０１のコントローラ２０１は、接続開始条件を満たしているか否かを確認してもよい。この例においては、例えば、下記の接続開始条件（ａ１）〜（ｄ２）を判断してもよい。なお、この接続開始条件（ａ１）〜（ｄ２）は、図１５〜図１７、図１９〜図２２に示される例でも共通して利用することができる。
【０１３９】
（ａ１）システム全体がシアターモードで動作している。
【０１４０】
（ｂ２）無線伝送装置１０２が音声データの有線出力機能を保有している。
【０１４１】
（ｃ２）無線伝送装置１０２が音声データの無線受信機能を保有している。
【０１４２】
（ｄ２）無線伝送装置１０２と音声出力装置１０３とが接続されている。
【０１４３】
まず、（ａ１）の確認は、既に説明しているので、再度の説明は省略する。
【０１４４】
次に、（ｂ２）〜（ｄ２）の確認方法について、図２８を用いて説明する。但し、第１の実施形態においては、図２８の映像音声出力装置７０１に代えて、無線伝送装置１０１が処理を実行するものとする。
【０１４５】
無線伝送装置１０１は、デバイス情報要求信号を無線伝送装置１０２に送信する。無線伝送装置１０２は、デバイス情報要求信号を受信したとき、デバイス情報応答信号を無線伝送装置１０１に送信する。
【０１４６】
図２９にデバイス情報要求信号のメッセージフォーマットの一例を示す。図２９において、オペコードフィールド８０１は、メッセージの種別を示すフィールドである。第１の実施形態においては、デバイス能力要求信号であることを示す値がセットされる。要求タイプフィールド８０２は、要求するタイプをビットマップで示すフィールドである。第１の実施形態においては、デバイス情報を要求するビットが１にセットされる。リザーブフィールド８０３は、将来のための予約フィールドである。全体メッセージ長フィールド８０４は、メッセージ内にさらにサブメッセージを含む場合に、その長さの合計がセットされるフィールドである。
【０１４７】
図３０にデバイス情報応答信号のメッセージフォーマットの一例を示す。図３０において、オペコードフィールド９０１は、メッセージの種別を示すフィールドである。第１の実施形態においては、デバイス能力応答信号であることを示す値がセットされる。全体メッセージ長フィールド９０２は、メッセージ内にさらにサブメッセージを含む場合にその長さの合計がセットされるフィールドである。タイプフィールド９０３は、サブメッセージのタイプがセットされるフィールドである。第１の実施形態においては、デバイス情報メッセージであることを示す値がセットされる。サブメッセージ長フィールド９０４は、サブメッセージの長さがセットされるフィールドである。デバイス種別フィールド９０５は、デバイスの種別がセットされるフィールドである。バージョンフィールド９０６は、デバイスのバージョンがセットされるフィールドである。ＡＶタイプフィールド９０７は、無線伝送における映像データ送信機能、映像データ受信機能、音声データ送信機能、音声データ受信機能に対応するビットから構成され、デバイスが各機能を有する場合は、１にセットされるフィールドである。無線タイプフィールド９０８は、無線の種別がセットされるフィールドである。フラグフィールド９０９は、映像データ又は音声データの有線出力機能、映像伝送ケーブル又は音声伝送ケーブルの接続状態などのデバイスの能力に対応するフラグが格納され、接続状態や能力に応じてフラグがセットされるフィールドである。
【０１４８】
このように、デバイス情報応答信号には、無線伝送装置１０２のパケット無線送受信回路３０２が音声データ受信機能を有しているか否かの情報、無線伝送装置１０２が音声有線送信回路３０５を備えているか否かの情報、及び音声伝送ケーブル１０７の接続状態を含めることができる。
【０１４９】
上記音声伝送ケーブルの接続状態は、無線伝送装置１０２が音声出力装置１０３に音声伝送ケーブル１０７を介して接続されているか否かを示す接続状態を示す。具体的には、デバイス情報応答信号送信時に、上記フラグフィールド９０９内の特定のフラグに接続状態を反映させる。
【０１５０】
なお、（ｂ２）及び（ｄ２）をまとめて、例えば１つのフラグとして無線伝送装置１０２が無線伝送装置１０１に通知してもよい。この場合は、例えば、音声データの有線出力機能の有無と、無線伝送装置１０２と音声出力装置１０３との間の音声伝送ケーブル１０７の接続状態の組み合わせに対して、所定値を付与することで実現できる。
【０１５１】
なお、（ｂ２）、（ｃ２）及び（ｄ２）をまとめた情報を、ＡＶタイプフィールド９０７に格納し、無線伝送装置１０２が無線伝送装置１０１に通知してもよい。この場合は、例えば、音声データの有線出力機能の有無、音声データの無線受信機能の有無、及び無線伝送装置１０２と音声出力装置１０３との間の音声伝送ケーブル１０７の接続状態の組み合わせに対して、所定値を付与することで実現できる。
【０１５２】
以下に、デバイス情報応答信号の設定の具体例を挙げる。
【０１５３】
デバイス種別フィールド９０５には、無線伝送装置１０２がアダプタであることを示す値がセットされる。ＡＶタイプフィールド９０７には、映像データ送信機能、音声データ送信機能、音声データ受信機能に対応するそれぞれのビットが１にセットされる。無線タイプフィールド９０８には、映像データ及び音声データの高速送信が可能で、かつ音声データの低速受信が可能である無線タイプを示す値がセットされる。フラグフィールド９０９には、音声有線伝送機能を持っていることを示すフラグ及び音声伝送ケーブルの接続状態を示すフラグに１がセットされる。
【０１５４】
無線伝送装置１０１は、デバイス情報応答信号を参照し、無線伝送装置１０２がアダプタで、音声データの受信機能を有し、音声データの低速受信が可能であるという情報から、（ｃ２）の条件を満たすことを確認する。また、フラグフィールド９０９から、（ｂ２）および（ｄ２）の条件を満たすことを確認する。
【０１５５】
また、ＡＶタイプフィールド９０７の音声データ受信機能に対応するビットを、無線伝送装置１０２が音声出力装置１０３に音声伝送ケーブル１０７を介して接続されている場合にのみ１にセットすることにより、（ｂ２）、（ｃ２）および（ｄ２）の条件をそのビットから確認することも可能である。また、デバイス情報応答信号ではなく異なるメッセージを受信し、無線伝送装置１０２が音声出力装置１０３に音声伝送ケーブル１０７を介して接続されていることを示すビットを参照することにより、（ｄ２）の条件を判断してもよい。
【０１５６】
コントローラ２０１は、上記４つの接続開始条件（ａ１）〜（ｄ２）を全て満たしている場合に、無線伝送装置１０２との無線接続を確立する処理に進む。一方、コントローラ２０１は、上記４つの接続開始条件（ａ１）〜（ｄ２）のいずれか１つでも満たされていない場合、無線伝送装置１０２との無線接続を開始せずに処理を完了する。この時、コントローラ２０１は、無線接続を開始しなかった原因を映像音声出力装置１０８に送信し、映像音声出力装置１０８のディスプレイ６０６もしくはスピーカ６０５を通してユーザに通知してもよい。例えば、（ｄ１）が満たされていなかった場合は、「音声ケーブルが接続されていません。」や「ＡＶアンプに音声ケーブルを接続してください。」などのメッセージをディスプレイ６０６に表示したり、スピーカ６０５を通して音声で通知する。
【０１５７】
そして、無線伝送装置１０１は、逆方向接続を確立するための接続要求を無線伝送装置１０２に送信する。接続要求を受信した無線伝送装置１０２は、接続を許可する接続応答を無線伝送装置１０１に送信する。接続応答を受信した無線伝送装置１０１は、音声データを伝送するための無線帯域（ＬＲＰ）を予約する。その後、無線伝送装置１０１は、音声データのストリーム伝送を開始することを示すストリーム開始通知を、ＬＲＰを用いて無線伝送装置１０２に送信する。以上の処理により、映像音声出力装置１０８から出力される音声データは、逆方向接続された無線を介して、音声出力装置１０３まで伝送される。
【０１５８】
図１５に、映像データを送信するための順方向接続が既に確立されている場合において、新たに逆方向接続を確立するためのシーケンスの一例を示す。このような状況は、例えば、映像音声再生装置１０４に挿入されたＤＶＤのコンテンツをシアターモードで視聴している時に、映像音声出力装置１０８の放送波受信回路６０７で受信したコンテンツをシアターモードで視聴し始める場合に起こり得る。なお、既に説明したシーケンスとの共通点の詳しい説明は省略し、相違点を詳しく説明する。
【０１５９】
まず、無線伝送装置１０１、１０２の間では、映像データを伝送するための無線帯域（ＨＲＰ）が予約されており、映像音声再生装置１０４から映像音声出力装置１０８に映像データが伝送されている。この状況で、ソースデバイスが映像音声再生装置１０４から映像音声出力装置１０８に切り替えられると、映像音声出力装置１０８は、物理アドレス［０．０．０．０］が設定された“Ｓｅｔ  Ｓｔｒｅａｍ  Ｐａｔｈ”メッセージを送信する。
【０１６０】
無線伝送装置１０１は、映像音声出力装置１０８から受信したＣＥＣメッセージを無線伝送装置１０２に中継すると共に、当該ＣＥＣメッセージに含まれる物理アドレス［０．０．０．０］を参照し、無線伝送装置１０２の上流に接続された装置の物理アドレスでないことを認識する。
【０１６１】
次に、無線伝送装置１０１は、順方向接続を切断するための切断通知を無線伝送装置１０２に送信する。切断通知を受信した無線伝送装置１０２は、予約帯域を解放する帯域解放処理を実施する。帯域解放処理が実施された後、無線伝送装置１０１は、逆方向接続を確立するための接続要求を無線伝送装置１０２に送信する。接続要求を受信した無線伝送装置１０２は、接続を許可する接続応答を無線伝送装置１０１に送信する。接続応答を受信した無線伝送装置１０１は、音声データを伝送するための無線帯域（ＬＲＰ）を予約する。その後、無線伝送装置１０１は、音声データのストリーム伝送を開始することを示すストリーム開始通知を無線伝送装置１０２に送信する。以上の処理により、映像音声出力装置１０８から出力される音声データは、逆方向接続された無線を介して、音声出力装置１０３まで伝送される。
【０１６２】
図１６に、映像音声出力装置１０８から“Ａｃｔｉｖｅ  Ｓｏｕｒｃｅ”メッセージが送信される場合のシーケンスの一例を示す。なお、既に説明したシーケンスとの共通点の詳しい説明は省略し、相違点を詳しく説明する。
【０１６３】
映像音声出力装置１０８の有線送受信回路５０４は、映像音声伝送ケーブル１０９、１１２のＣＥＣ信号線に、“Ａｃｔｉｖｅ  Ｓｏｕｒｃｅ”メッセージを送信する。このＣＥＣメッセージのオペランド領域には、ソースデバイスとなる映像音声出力装置１０８の物理アドレス［０．０．０．０］が設定されている。
【０１６４】
無線伝送装置１０１は、映像音声出力装置１０８から受信したＣＥＣメッセージを無線伝送装置１０２に中継すると共に、当該ＣＥＣメッセージに含まれる物理アドレス［０．０．０．０］を参照し、無線伝送装置１０２の上流に接続された装置の物理アドレスでないことを認識する。そして、無線伝送装置１０１は、逆方向接続を確立するための接続要求を無線伝送装置１０２に送信する。接続要求を受信した無線伝送装置１０２は、接続を許可する接続応答を無線伝送装置１０１に送信する。接続応答を受信した無線伝送装置１０１は、音声データを伝送するための無線帯域（ＬＲＰ）を予約する。その後、無線伝送装置１０１は、音声データのストリーム伝送を開始することを示すストリーム開始通知を無線伝送装置１０２に送信する。以上の処理により、映像音声出力装置１０８から出力される音声データは、逆方向接続された無線を介して、音声出力装置１０３まで伝送される。
【０１６５】
図１７に、映像データを送信するための順方向接続が既に確立されている場合において、新たに逆方向接続を確立するためのシーケンスの一例を示す。なお、既に説明したシーケンスとの共通点の詳しい説明は省略し、相違点を詳しく説明する。
【０１６６】
まず、無線伝送装置１０１、１０２の間では、映像データを伝送するための無線帯域（ＨＲＰ）が予約されており、映像音声再生装置１０４から映像音声出力装置１０８に映像データが伝送されている。この状況で、映像音声出力装置１０８は、物理アドレス［０．０．０．０］が設定された“Ａｃｔｉｖｅ  Ｓｏｕｒｃｅ”メッセージを送信する。
【０１６７】
無線伝送装置１０１は、映像音声出力装置１０８から受信したＣＥＣメッセージを無線伝送装置１０２に中継すると共に、当該ＣＥＣメッセージに含まれる物理アドレス［０．０．０．０］を参照し、無線伝送装置１０２の上流に接続された装置の物理アドレスでないことを認識する。
【０１６８】
次に、無線伝送装置１０１は、順方向接続を切断するための切断通知を無線伝送装置１０２に送信する。切断通知を受信した無線伝送装置１０２は、予約帯域を解放する帯域解放処理を実施する。帯域解放処理が実施された後、無線伝送装置１０１は、逆方向接続を確立するための接続要求を無線伝送装置１０２に送信する。接続要求を受信した無線伝送装置１０２は、接続を許可する接続応答を無線伝送装置１０１に送信する。接続応答を受信した無線伝送装置１０１は、音声データを伝送するための無線帯域（ＬＲＰ）を予約する。その後、無線伝送装置１０１は、音声データのストリーム伝送を開始することを示すストリーム開始通知を無線伝送装置１０２に送信する。以上の処理により、映像音声出力装置１０８から出力される音声データは、逆方向接続された無線を介して、音声出力装置１０３まで伝送される。
【０１６９】
次に、図１８〜図２２を参照して、映像音声再生装置１１１がソースデバイスとなる場合の処理について説明する。図１８は、映像音声再生装置１１１によって再生されたコンテンツを、シアターモードで視聴している場合の映像データ及び音声データの流れを示す図である。図１９〜図２２は、無線伝送システムを構成する各装置の処理シーケンスを示す図である。
【０１７０】
映像音声再生装置１１１から出力される映像データは、映像音声出力装置１０８のディスプレイ６０６から出力される。また、映像音声再生装置１１１から出力される音声データは、映像音声出力装置１０８、無線伝送装置１０１、及び無線伝送装置１０２を経由して音声出力装置１０３のスピーカ４０６から出力される。ここで、無線伝送装置１０１と無線伝送装置１０２の間で音声データの伝送を行うためには、逆方向接続を確立する必要がある。
【０１７１】
そこで、上記のように音声データが伝送される以前に、例えば、映像音声再生装置１１１は、オペランド領域に映像音声再生装置１１１の物理アドレス［２．０．０．０］を設定した“Ａｃｔｉｖｅ  Ｓｏｕｒｃｅ”メッセージをブロードキャストする。または、映像音声出力装置１０８は、オペランド領域に映像音声再生装置１１１の物理アドレス［２．０．０．０］を設定した“Ｓｅｔ  Ｓｔｒｅａｍ  Ｐａｔｈ”メッセージをブロードキャストする。これらのＣＥＣメッセージを用いて、逆方向接続を行う処理について、図１９から図２２を用いて説明する。
【０１７２】
図１９に、映像音声出力装置１０８から“Ｓｅｔ  Ｓｔｒｅａｍ  Ｐａｔｈ”メッセージが送信される場合のシーケンスの一例を示す。なお、既に説明したシーケンスとの共通点の詳しい説明は省略し、相違点を詳しく説明する。
【０１７３】
まず、映像音声出力装置１０８は、物理アドレス［２．０．０．０］が設定された“Ｓｅｔ  Ｓｔｒｅａｍ  Ｐａｔｈ”メッセージを送信する。無線伝送装置１０１は、映像音声出力装置１０８から受信したＣＥＣメッセージを無線伝送装置１０２に中継すると共に、当該ＣＥＣメッセージに含まれる物理アドレス［２．０．０．０］を参照し、無線伝送装置１０２の上流に接続された装置の物理アドレスでないことを認識する。そして、無線伝送装置１０１は、逆方向接続を確立するための接続要求を無線伝送装置１０２に送信する。接続要求を受信した無線伝送装置１０２は、接続を許可する接続応答を無線伝送装置１０１に送信する。接続応答を受信した無線伝送装置１０１は、音声データを伝送するための無線帯域（ＬＲＰ）を予約する。その後、無線伝送装置１０１は、音声データのストリーム伝送を開始することを示すストリーム開始通知を無線伝送装置１０２に送信する。以上の処理により、映像音声再生装置１１１から出力される音声データは、逆方向接続された無線を介して、音声出力装置１０３まで伝送される。
【０１７４】
図２０に、映像データを送信するための順方向接続が既に確立されている場合において、新たに逆方向接続を確立するためのシーケンスの一例を示す。このような状況は、例えば、映像音声再生装置１０４に挿入されたＤＶＤのコンテンツをシアターモードで視聴している時に、映像音声再生装置１１１のＨＤＤ（Ｈａｒｄ  Ｄｉｓｋ  Ｄｒｉｖｅ）に記録されているコンテンツをシアターモードで視聴し始める場合に起こり得る。なお、既に説明したシーケンスとの共通点の詳しい説明は省略し、相違点を詳しく説明する。
【０１７５】
まず、無線伝送装置１０１、１０２の間では、映像データを伝送するための無線帯域（ＨＲＰ）が予約されており、映像音声再生装置１０４から映像音声出力装置１０８に映像データが伝送されている。この状況で、ソースデバイスが映像音声再生装置１０４から映像音声再生装置１１１に切り替えられると、映像音声出力装置１０８は、物理アドレス［２．０．０．０］が設定された“Ｓｅｔ  Ｓｔｒｅａｍ  Ｐａｔｈ”メッセージを送信する。
【０１７６】
無線伝送装置１０１は、映像音声出力装置１０８から受信したＣＥＣメッセージを無線伝送装置１０２に中継すると共に、当該ＣＥＣメッセージに含まれる物理アドレス［２．０．０．０］を参照し、無線伝送装置１０２の上流に接続された装置の物理アドレスでないことを認識する。
【０１７７】
次に、無線伝送装置１０１は、順方向接続を切断するための切断通知を無線伝送装置１０２に送信する。切断通知を受信した無線伝送装置１０２は、予約された無線帯域（ＨＲＰ）を解放する帯域解放処理を実施する。帯域解放処理が実施された後、無線伝送装置１０１は、逆方向接続を確立するための接続要求を無線伝送装置１０２に送信する。接続要求を受信した無線伝送装置１０２は、接続を許可する接続応答を無線伝送装置１０１に送信する。接続応答を受信した無線伝送装置１０１は、音声データを伝送するための無線帯域（ＬＲＰ）を予約する。その後、無線伝送装置１０１は、音声データのストリーム伝送を開始することを示すストリーム開始通知を無線伝送装置１０２に送信する。以上の処理により、映像音声再生装置１１１から出力される音声データは、逆方向接続された無線を介して、音声出力装置１０３まで伝送される。
【０１７８】
図２１に、映像音声再生装置１１１から“Ａｃｔｉｖｅ  Ｓｏｕｒｃｅ”メッセージが送信される場合のシーケンスの一例を示す。なお、既に説明したシーケンスとの共通点の詳しい説明は省略し、相違点を詳しく説明する。
【０１７９】
映像音声再生装置１１１の有線送受信回路５０４は、映像音声伝送ケーブル１１２のＣＥＣ信号線に、“Ａｃｔｉｖｅ  Ｓｏｕｒｃｅ”メッセージを送信する。このＣＥＣメッセージのオペランド領域には、ソースデバイスとなる映像音声再生装置１１１の物理アドレス［２．０．０．０］が設定されている。また、このＣＥＣメッセージは、映像音声出力装置１０８で中継されて、無線伝送装置１０１に到達する。
【０１８０】
無線伝送装置１０１は、映像音声出力装置１０８から受信したＣＥＣメッセージを無線伝送装置１０２に中継すると共に、当該ＣＥＣメッセージに含まれる物理アドレス［２．０．０．０］を参照し、無線伝送装置１０２の上流に接続された装置の物理アドレスでないことを認識する。そして、無線伝送装置１０１は、逆方向接続を確立するための接続要求を無線伝送装置１０２に送信する。接続要求を受信した無線伝送装置１０２は、接続を許可する接続応答を無線伝送装置１０１に送信する。接続応答を受信した無線伝送装置１０１は、音声データを伝送するための無線帯域（ＬＲＰ）を予約する。その後、無線伝送装置１０１は、音声データのストリーム伝送を開始することを示すストリーム開始通知を無線伝送装置１０２に送信する。以上の処理により、映像音声再生装置１１１から出力される音声データは、逆方向接続された無線を介して、音声出力装置１０３まで伝送される。
【０１８１】
図２２に、映像データを送信するための順方向接続が既に確立されている場合において、新たに逆方向接続を確立するためのシーケンスの一例を示す。なお、既に説明したシーケンスとの共通点の詳しい説明は省略し、相違点を詳しく説明する。
【０１８２】
まず、無線伝送装置１０１、１０２の間では、映像データを伝送するための無線帯域（ＨＲＰ）が予約されており、映像音声再生装置１０４から映像音声出力装置１０８に映像データが伝送されている。この状況で、映像音声再生装置１１１は、物理アドレス［２．０．０．０］が設定された“Ａｃｔｉｖｅ  Ｓｏｕｒｃｅ”メッセージを送信する。
【０１８３】
無線伝送装置１０１は、映像音声出力装置１０８から受信したＣＥＣメッセージを無線伝送装置１０２に中継すると共に、当該ＣＥＣメッセージに含まれる物理アドレス［２．０．０．０］を参照し、無線伝送装置１０２の上流に接続された装置の物理アドレスでないことを認識する。
【０１８４】
次に、無線伝送装置１０１は、順方向接続を切断するための切断通知を無線伝送装置１０２に送信する。切断通知を受信した無線伝送装置１０２は、予約された無線帯域（ＨＲＰ）を解放する帯域解放処理を実施する。帯域解放処理が実施された後、無線伝送装置１０１は、逆方向接続を確立するための接続要求を無線伝送装置１０２に送信する。接続要求を受信した無線伝送装置１０２は、接続を許可する接続応答を無線伝送装置１０１に送信する。接続応答を受信した無線伝送装置１０２は、音声データを伝送するための無線帯域（ＬＲＰ）を予約する。その後、無線伝送装置１０２は、音声データのストリーム伝送を開始することを示すストリーム開始通知を無線伝送装置１０１に送信する。以上の処理により、映像音声再生装置１１１から出力される音声データは、逆方向接続された無線を介して、音声出力装置１０３まで伝送される。
【０１８５】
図２３は、無線伝送装置１０１のコントローラ２０１の切断処理のフローチャートの一例を示す図である。
【０１８６】
無線伝送装置１０１のコントローラ２０１は、無線伝送装置１０２との無線接続が確立している間（Ｓ２３０１）に、有線送受信回路２０４から映像音声伝送ケーブル１０９のＨＰＤ信号線の信号レベルを取得する（Ｓ２３０２）。そして、ＨＰＤ信号線の信号レベルがＬｏｗの状態が所定時間継続した場合（Ｓ２３０２でＹｅｓ）、コントローラ２０１は、無線伝送装置１０２との間で切断処理を行う（Ｓ２３０３）。なお、切断処理とは、無線伝送装置１０２に切断通知を送信し、予約されている帯域を解放する処理である。一方、ＨＰＤ信号線の信号レベルがＬｏｗの状態が所定時間継続しない場合（Ｓ２３０２でＮｏ）、コントローラ２０１は、処理を終了する。
【０１８７】
なお、本発明の映像音声出力装置１０８は、スピーカ６０５及びディスプレイ６０６は装置に内蔵されているが、ＳＴＢ（Ｓｅｔ  Ｔｏｐ  Ｂｏｘ）のようにスピーカ及びディスプレイを内蔵せず、外部に設置されたスピーカ及びディスプレイに接続されてもよい。その場合、スピーカ及びディスプレイに代わり、映像音声処理回路に有線送受信回路が接続され、有線送受信回路及び映像音声伝送ケーブル、音声伝送ケーブルなどを介して、外部のスピーカ及びディスプレイに接続される。また、音声出力装置も同様に、スピーカを内蔵せず、装置外部のスピーカと接続されていてもよい。また、音声出力装置に接続されるスピーカは２台以上でもよい。
【０１８８】
（第２の実施形態）
図２５は、本発明の第２の実施形態に係る音声データの無線伝送方法を用いて音声データを伝送する無線通信システムの一構成例を示すブロック図である。なお、第１の実施形態との共通点の詳しい説明は省略し、相違点を中心に説明する。
【０１８９】
図２５において、映像音声出力装置７０１は、ＴＶなどの映像データ出力及び音声データ出力が可能な装置である。無線伝送装置１０２は、無線を用いて映像データ及び音声データの送受信が可能な装置である。音声出力装置１０３は、ＡＶアンプなどの音声データを出力することが可能な装置である。映像音声再生装置１０４は、映像データ及び音声データを再生し、他の装置へ出力することが可能な装置である。
【０１９０】
また、映像音声伝送ケーブル１０５、映像音声伝送ケーブル１０６は、ＨＤＭＩ（ＨｉｇｈＤｅｆｉｎｉｔｉｏｎ  Ｍｕｌｔｉｍｅｄｉａ  Ｉｎｔｅｒｆａｃｅ）ケーブルなどの映像データ及び音声データを伝送することが可能なケーブルである。音声伝送ケーブル１０７は、ＳＰＤＩＦ（Ｓｏｎｙ  Ｐｈｉｌｉｐｓ  Ｄｉｇｉｔａｌ  Ｉｎｔｅｒｆａｃｅ）ケーブルなどの音声データを伝送することが可能なケーブルである。
【０１９１】
第２の実施形態における無線通信システムは、音声データの出力において、２つの出力形態（シアターモード、通常モード）を備えている。シアターモードは、音声データを、映像データを出力する映像音声出力装置７０１外部のスピーカから出力するモードである。一方、通常モードは、映像データを出力する映像音声出力装置７０１から音声データも出力するモードである。
【０１９２】
なお、無線伝送装置１０２及び音声出力装置１０３の各構成は、以下の各実施形態に適用される。
【０１９３】
図２６は、第２の実施形態における映像音声出力装置７０１の一構成例を示すブロック図である。図２６において、映像音声出力装置７０１は、アンテナ２０６を備えたパケット無線送受信回路２０２と、パケット処理回路２０３と、映像音声処理回路６０４と、スピーカ６０５と、ディスプレイ６０６と、放送波受信回路６０７と、これらの回路等２０２、２０３、６０４、６０７の動作を制御するコントローラ２０１とを備える。つまり、この映像音声出力装置７０１は、第１の実施形態に係る無線伝送装置１０１及び映像音声出力装置１０８を一体構成したものに相当する。
【０１９４】
まず、アンテナ２０６を介して無線信号を受信した場合の映像音声出力装置７０１の動作について説明する。
【０１９５】
パケット無線送受信回路２０２は、アンテナ２０６を介して受信された無線信号をベースバンド信号に復調した後、パケット処理回路２０３に出力する。パケット処理回路２０３は、パケット無線送受信回路２０２より入力されるベースバンド信号から所定のパケット分離処理により映像データ、音声データ及び所定の制御コマンドのみを取り出すことにより受信されたパケットをデコードし、映像データ及び音声データを映像音声処理回路６０４に出力する一方、制御コマンドをコントローラ２０１に出力する。
【０１９６】
映像音声処理回路６０４は、パケット処理回路２０３から入力される映像データ及び音声データ、もしくは映像データのみを所定の信号処理やＤ／Ａ変換処理を実行した後、ディスプレイ６０６に出力して表示する。また、映像音声処理回路６０４は、通常モード時は、コントローラ２０１の制御に従って、入力される音声データを所定の信号処理やＤ／Ａ変換処理を実行した後、スピーカ６０５に出力する。一方、シアターモード時は、映像音声処理回路６０４は、コントローラ２０１の制御に従って、スピーカ６０５への音声データ出力は行わない。
【０１９７】
次に、放送波を受信した場合の映像音声出力装置７０１の動作を説明する。
【０１９８】
放送波受信回路６０７は、放送波を受信し、所定の信号処理を実行した後、映像データ及び音声データを映像音声処理回路６０４に出力する。映像音声処理回路６０４は、映像データを所定の信号処理やＤ／Ａ変換処理を実行した後、ディスプレイ６０６に出力して表示する。また、映像音声処理回路６０４は、通常モード時は、コントローラ２０１の制御に従って、入力される音声データを所定の信号処理やＤ／Ａ変換処理を実行した後、スピーカ６０５に出力して音声データの出力を行う。一方、シアターモード時は、映像音声処理回路６０４は、コントローラ２０１の制御に従って、スピーカ６０５への音声出力は行わず、パケット処理回路２０３に音声データを出力する。
【０１９９】
パケット処理回路２０３は、入力される音声データを、所定のパケットの形式のデジタル信号に変換してパケット無線送受信回路２０２に出力する。パケット無線送受信回路２０２は、パケット処理回路２０３から入力されるデジタル信号に従って搬送波信号をデジタル変調し、変調後の無線信号を、アンテナ２０６を介して無線伝送装置１０２に無線送信する。
【０２００】
また、コントローラ２０１は、アンテナ２０６を介して無線信号を受信した場合、及び、放送波を受信した場合において、パケット無線送受信回路２０２、パケット処理回路２０３、映像音声処理回路６０４、及び放送波受信回路６０７と制御データの交換を行い、それぞれの制御を行う。
【０２０１】
無線伝送装置１０２、音声出力装置１０３、及び映像音声再生装置１０４の構成は、図３〜５を用いて既に説明しているので、再度の説明は省略する。
【０２０２】
以下、ユーザが映像音声再生装置１０４によって再生されたコンテンツを、音声出力装置１０３及び無線伝送装置１０２を経由して、映像音声出力装置７０１のディスプレイ６０６及びスピーカ６０５もしくは音声出力装置１０３のスピーカ４０６を用いて視聴しているときに、ユーザが映像音声出力装置７０１に入力される放送波からの番組を視聴するために、映像音声出力装置７０１の入力切替を行った場合の処理について図２７〜図３０を用いて説明する。
【０２０３】
図２７は、映像音声出力装置７０１のコントローラ２０１で行われる接続処理を示すフローチャートである。
【０２０４】
まず、ステップＳ２７０１において、コントローラ２０１は、映像音声出力装置７０１に対して、映像音声再生装置１０４から放送波への入力切替操作がユーザによって行われたことを検出すると、ステップＳ２７０２に進む。ここで、入力切替操作の検出は、本発明の要旨ではないので、どのような方法でも構わない。例えば、図示しない操作受付部などからコントローラ２０１に出力される信号によって行う。
【０２０５】
ステップＳ２７０２において、コントローラ２０１は、パケット処理回路２０３、パケット無線送受信回路２０２、及びアンテナ２０６を制御して、無線通信の切断通知信号を無線伝送装置１０２に送信し、ステップＳ２７０３に進む。
【０２０６】
ステップＳ２７０３において、コントローラ２０１は、パケット処理回路２０３、パケット無線送受信回路２０２、及びアンテナ２０６を制御して、無線伝送装置１０２との無線通信において使用していた伝送帯域の帯域解放処理を実施し、ステップＳ２７０４に進む。
【０２０７】
ステップＳ２７０４において、コントローラ２０１は、接続開始条件を満たすか否かの判断を行う。接続開始条件として、コントローラ２０１は、以下の（ａ１）〜（ｄ３）の４つの項目を確認する。
【０２０８】
（ａ１）システム全体がシアターモードで動作している。
【０２０９】
（ｂ３）無線伝送装置１０２が音声データの有線出力機能を保有している。
【０２１０】
（ｃ３）無線伝送装置１０２が音声データの無線受信機能を保有している。
【０２１１】
（ｄ３）無線伝送装置１０２と音声出力装置１０３間の接続状態。
【０２１２】
ここで、各項目の確認方法について、説明する。
【０２１３】
まず、（ａ１）の確認は、映像音声出力装置７０１のコントローラ２０１と音声出力装置１０３のコントローラ４０１との間で制御信号を交換し、シアターモードで動作するか通常モードで動作するかを決定することで行われる。
【０２１４】
映像音声出力装置７０１のコントローラ２０１は、現在の動作モードがシアターモードであるか通常モードであるかを記憶する。例えば、動作モードはユーザによって設定される。音声出力装置１０３のコントローラ４０１は、映像音声出力装置７０１のコントローラ２０１から動作モードを取得する。
【０２１５】
次に、（ｂ３）〜（ｄ３）で示す伝送状態情報の確認について、図２８を用いて説明する。図２８は、映像音声出力装置７０１が無線伝送装置１０２に音声有線送信回路３０５を備えているか否かなどのデバイス情報を取得するときのシーケンスを示す図である。
【０２１６】
映像音声出力装置７０１は、デバイス情報要求信号を無線伝送装置１０２に送信する。無線伝送装置１０２は、デバイス情報要求信号を受信したとき、デバイス情報応答信号を映像音声出力装置７０１に送信する。
【０２１７】
図２９にデバイス情報要求信号のメッセージフォーマットの一例を示す。図２９において、オペコードフィールド８０１は、メッセージの種別を示すフィールドである。第２の実施形態においては、デバイス能力要求信号であることを示す値がセットされる。要求タイプフィールド８０２は、要求するタイプをビットマップで示すフィールドである。第２の実施形態においては、デバイス情報を要求するビットが１にセットされる。リザーブフィールド８０３は、将来のための予約フィールドである。全体メッセージ長フィールド８０４は、メッセージ内にさらにサブメッセージを含む場合にその長さの合計がセットされるフィールドである。
【０２１８】
図３０にデバイス情報応答信号のメッセージフォーマットの一例を示す。図３０において、オペコードフィールド９０１は、メッセージの種別を示すフィールドである。第２の実施形態においては、デバイス能力応答信号であることを示す値がセットされる。全体メッセージ長フィールド９０２は、メッセージ内にさらにサブメッセージを含む場合にその長さの合計がセットされるフィールドである。タイプフィールド９０３は、サブメッセージのタイプがセットされるフィールドである。第２の実施形態においては、デバイス情報メッセージであることを示す値がセットされる。サブメッセージ長フィールド９０４は、サブメッセージの長さがセットされるフィールドである。デバイス種別フィールド９０５は、デバイスの種別がセットされるフィールドである。バージョンフィールド９０６は、デバイスのバージョンがセットされるフィールドである。ＡＶタイプフィールド９０７は、無線伝送における映像データ送信機能、映像データ受信機能、音声データ送信機能、音声データ受信機能に対応するビットから構成され、デバイスが各機能を有する場合は、１にセットされるフィールドである。無線タイプフィールド９０８は、無線の種別がセットされるフィールドである。フラグフィールド９０９は、音声データの有線出力機能、音声伝送ケーブルの接続状態などのデバイスの能力に対応するフラグが格納され、接続状態や能力に応じてフラグがセットされるフィールドである。
【０２１９】
このように、デバイス情報応答信号には、無線伝送装置１０２のパケット無線送受信回路３０２が音声データ受信機能を有しているか否かの情報や無線伝送装置１０２が音声有線送信回路３０５を備えているか否かの情報や音声伝送ケーブル１０７の接続状態を含めることができる。
【０２２０】
上記音声伝送ケーブル１０７の接続状態は、無線伝送装置１０２が音声出力装置１０３に音声伝送ケーブル１０７を介して接続されているか否かを示す接続状態を監視し、デバイス情報応答信号送信時に上記フラグフィールド９０９内の特定のフラグに接続状態を反映させる。
【０２２１】
なお、（ｂ３）及び（ｄ３）をまとめて、例えば１つのフラグとして無線伝送装置１０２が映像音声出力装置７０１に通知してもよい。この場合は、例えば、音声データの有線出力機能の有無と、無線伝送装置１０２と音声出力装置１０３との間の音声伝送ケーブル１０７の接続状態の組み合わせに対して、所定値を付与することで実現できる。
【０２２２】
なお、（ｂ３）、（ｃ３）及び（ｄ３）をまとめた情報を、ＡＶタイプフィールド９０７に格納し、無線伝送装置１０２が映像音声出力装置７０１に通知してもよい。この場合は、例えば、音声データの有線出力機能の有無と、音声データの無線受信機能の有無と、無線伝送装置１０２と音声出力装置１０３との間の音声伝送ケーブルの接続状態との組み合わせに対して、所定値を付与することで実現できる。
【０２２３】
以下に、デバイス情報応答信号の設定の具体例を挙げる。
【０２２４】
デバイス種別フィールド９０５には、無線伝送装置１０２がアダプタであることを示す値がセットされる。ＡＶタイプフィールド９０７は、映像データ送信機能、音声データ送信機能、音声データ受信機能に対応するそれぞれのビットが１にセットされる。無線タイプフィールド９０８には、映像データ及び音声データの高速送信が可能かつ音声データの低速受信が可能である無線タイプを示す値がセットされる。フラグフィールド９０９には、音声有線伝送機能を持っていることを示すフラグ及び音声伝送ケーブルの接続状態を示すフラグに１がセットされる。
【０２２５】
映像音声出力装置７０１は、デバイス情報応答信号を参照し、無線伝送装置１０２がアダプタでかつ、音声データの受信機能を有し、音声データの低速受信が可能であるという情報から、（ｃ３）の条件を満たすことを確認する。また、フラグフィールド９０９から、（ｂ３）および（ｄ３）の条件を満たすことを確認する。
【０２２６】
また、ＡＶタイプフィールド９０７の音声データ受信機能に対応するビットを無線伝送装置１０２が音声出力装置１０３に音声伝送ケーブル１０７を介して接続されている場合にのみ１にセットすることにより、（ｂ３）、（ｃ３）および（ｄ３１）の条件をそのビットから確認することも可能である。また、デバイス情報応答信号ではなく異なるメッセージを受信し、無線伝送装置１０２が音声出力装置１０３に音声伝送ケーブル１０７を介して接続されていることを示すビットを参照することにより、（ｄ３）の条件を判断してもよい。
【０２２７】
コントローラ２０１は、上記４つの接続開始条件（ａ１）〜（ｄ３）を全て満たしている場合は、パケット処理回路２０３、パケット無線送受信回路２０２、及びアンテナ２０６を制御して、無線伝送装置１０２との無線接続を開始し、ステップＳ２７０５に進む。また、コントローラ２０１は、上記４つの接続開始条件（ａ１）〜（ｄ３）のいずれか１つでも満たされていない場合、無線伝送装置１０２との無線接続を開始せずに処理を完了する。
【０２２８】
この時、コントローラ２０１は、映像音声処理回路６０４を制御して、無線接続を開始しなかった原因をディスプレイ６０６もしくはスピーカ６０５を通してユーザに通知してもよい。例えば、（ｄ３）が満たされていなかった場合は、「音声ケーブルが接続されていません。」や「ＡＶアンプに音声ケーブルを接続してください。」などのメッセージをディスプレイ６０６に表示したり、スピーカ６０５を通して音声で通知する。
【０２２９】
ステップＳ２７０５において、コントローラ２０１は、パケット処理回路２０３、パケット無線送受信回路２０２、及びアンテナ２０６を制御して、無線接続要求信号を無線伝送装置１０２に送信し、ステップＳ２７０６に進む。ステップＳ２７０６において、コントローラ２０１は、無線伝送装置１０２より、接続を許可する接続応答（許可）信号を受信するまで待機する。コントローラ２０１は、アンテナ２０６、パケット無線送受信回路２０２、及びパケット処理回路２０３を介して、無線伝送装置１０２からの接続応答（許可）信号を受信すると、ステップＳ２７０７に進む。また、コントローラ２０１は、接続応答信号を一定期間受信しないか、あるいは、無線伝送装置１０２から接続の拒否を示す接続応答（拒否）信号を受信すると、処理を完了する。
【０２３０】
ステップＳ２７０７において、コントローラ２０１は、パケット処理回路２０３、パケット無線送受信回路２０２、及びアンテナ２０６を制御して、帯域予約処理を実施し、音声データを送信するための帯域もしくは時間を予約する。コントローラ２０１は、帯域予約処理を完了すると、ステップＳ２７０８に進む。ステップＳ２７０８において、コントローラ２０１は、パケット処理回路２０３、パケット無線送受信回路２０２、及びアンテナ２０６を制御して、音声データの伝送を開始することを示すストリーム開始通知信号を無線伝送装置１０２に送信する。ステップＳ２７０９において、コントローラ２０１は、放送波受信回路６０７が受信した音声信号を無線伝送装置１０２へ送信するよう、放送波受信回路６０７、映像音声処理回路６０４、パケット処理回路２０３、及びパケット無線送受信回路２０２を制御する。
【０２３１】
図３１は、無線伝送装置１０２のコントローラ３０１の接続処理のフローチャートである。
【０２３２】
ステップＳ３１０１において、コントローラ３０１は、アンテナ３０６、パケット無線送受信回路３０２、及びパケット処理回路３０３を介して映像音声出力装置７０１からの接続要求信号を受信すると、ステップＳ３１０２に進む。ステップＳ３１０２において、コントローラ３０１は、接続許可条件を満たすか否かを確認する。接続許可条件として、以下の（ａ２）、（ｄ４）の２つの項目を確認する。
【０２３３】
（ａ２）システム全体がシアターモードで動作している。
【０２３４】
（ｄ４）無線伝送装置１０２が音声出力装置１０３に音声伝送ケーブル１０７を介して接続されている。
【０２３５】
ここで、（ａ２）、（ｄ４）の確認方法について説明する。（ａ２）は、（ａ１）と同様、映像音声出力装置７０１と音声出力装置１０３の間で制御信号を交換し、シアターモードで動作するか通常モードで動作するかを決定する。なお、映像音声出力装置７０１において、（ａ１）の確認が行われる場合は、必ずしも（ａ２）の確認を行う必要はない。また（ｄ４）は、コントローラ３０１が音声有線送信回路３０５に音声伝送ケーブル１０７が接続されているかを問い合わせることで確認する。なお、（ｄ４）の確認が行われる場合は、必ずしも（ｄ３）の確認を行う必要はない。
【０２３６】
コントローラ３０１は、上記の接続開始条件（ａ２）、（ｄ４）を全て満たしている場合、Ｓ３１０３に進み、パケット処理回路３０３、パケット無線送受信回路３０２、及びアンテナ３０６を制御して、接続応答（許可）信号を映像音声出力装置７０１に送信する。一方、コントローラ３０１は、上記の接続開始条件（ａ２）、（ｄ４）のいずれか１つでも満たされていない場合、ステップＳ３１０４に進む。ステップＳ３１０４において、コントローラ３０１は、パケット処理回路３０３、パケット無線送受信回路３０２、及びアンテナ３０６を制御して、接続応答（拒否）信号を映像音声出力装置７０１に送信する。
【０２３７】
図３２は、システム全体がシアターモードで動作しており、接続が許可される場合のシステム全体のシーケンスを示す図である。
【０２３８】
初期状態として、映像音声出力装置７０１の入力が映像音声再生装置１０４になっている。この場合、映像音声再生装置１０４において、コントローラ５０１の制御に従って、映像音声再生回路５０２が再生した映像データ及び音声データは映像音声処理回路５０３において信号処理が施され、有線送受信回路５０４を介して、音声出力装置１０３に出力される。
【０２３９】
音声出力装置１０３においては、コントローラ４０１の制御に従って、有線送受信回路４０２に入力された音声データは、映像音声処理回路４０３を介してスピーカ４０６から出力され、映像データは映像音声処理回路４０３、及び有線送受信回路４０４を介して無線伝送装置１０２に出力される。無線伝送装置１０２においては、音声出力装置１０３から入力された映像データは、有線送受信回路３０４を介して入力され、コントローラ３０１の制御に従って、パケット処理回路３０３、パケット無線送受信回路３０２、及びアンテナ３０６を介して、映像音声出力装置７０１に無線送信される。
【０２４０】
映像音声出力装置７０１では、アンテナ２０６、及びパケット無線送受信回路２０２を介して受信された映像データは、コントローラ２０１の制御に従って、パケット処理回路２０３、及び映像音声処理回路６０４を介してディスプレイ６０６に出力される。ここで、音声出力装置１０３は、無線伝送装置１０２に対して、映像データとともに音声データを送信してもよい。その場合、映像音声出力装置７０１のコントローラ２０１は、映像音声出力装置７０１をミュート状態にし、スピーカ６０５から音声が出力されないよう映像音声処理回路６０４を制御する。
【０２４１】
ここで、ユーザによって、映像音声出力装置７０１の入力が映像音声再生装置１０４から放送波に切り替えられる。このとき、映像音声出力装置７０１は、切断通知信号を無線伝送装置１０２に送信する。無線伝送装置１０２は、切断通知信号を受信し、映像音声出力装置７０１との無線通信を切断する。その後、映像音声出力装置７０１は、無線伝送装置１０２との無線通信のために確保していた帯域の帯域解放処理を実施する。
【０２４２】
次に、映像音声出力装置７０１は、接続開始条件の確認を行い、（ａ１）〜（ｄ３）の条件を全て満たしていることを確認する。接続開始条件（ａ１）〜（ｄ３）を全て満たしている場合、映像音声出力装置７０１は、接続要求信号を無線伝送装置１０２に送信する。一方、接続開始条件（ａ１）〜（ｄ３）を１つでも満たしていない場合は、映像音声出力装置７０１は、接続信号を無線伝送装置１０２に送信しない。
【０２４３】
無線伝送装置１０２は、接続要求信号を受信すると、接続開始条件（ａ４）、（ｄ４）を全て満たしていることを確認する。そして、接続開始条件（ａ４）、（ｄ４）を全て満たしている場合には、接続応答（許可）信号を映像音声出力装置７０１に送信する。映像音声出力装置７０１は、接続応答（許可）を受信すると、無線通信に必要な帯域を確保する帯域予約処理を行い、その後、ストリーム開始通知信号を無線伝送装置１０２に送信するとともに音声データを無線伝送装置１０２に送信する。無線伝送装置１０２は、受信した音声データを音声出力装置１０３に出力し、音声出力装置１０３はスピーカ４０６から音声データを出力する。
【０２４４】
図３３は、映像音声出力装置７０１で行われる接続処理のフローチャートである。
【０２４５】
まず、Ｓ３３０１において、電源がオンされると、Ｓ２７０４に進む。Ｓ２７０４以降は、図２７のＳ２７０４以降と同一なので、同符号を付与し、説明を省略する。
【０２４６】
なお、第２の実施形態では、音声出力装置１０３と無線伝送装置１０２とは、映像音声伝送ケーブル１０６及び音声伝送ケーブル１０７で接続されているが、映像データ及び音声データの伝送が可能な通信路と、音声データの伝送が可能な通信路との両方を有する１本のケーブルで実現することも可能である。その場合は、（ｄ３）及び（ｂ４）においては、音声伝送ケーブル１０７の代わりにその一本のケーブルの接続状況を用いて判断を行う。その一本のケーブルがＨＤＭＩケーブルである場合は、５Ｖ信号の状態で接続状況を判断することが可能である。
【０２４７】
（第３の実施形態）
図３４は、本発明の第３の実施形態に係る音声データの伝送方法を用いて音声データを伝送する無線通信システムの構成を示すブロック図である。
【０２４８】
第２の実施形態と第３の実施形態との相違点は、第２の実施形態における映像音声出力装置７０１より無線処理部が独立し、無線伝送装置１０１と映像音声出力装置１０８とで構成されていることである。
【０２４９】
図３４において、映像音声出力装置１０８は、ＴＶなどの映像出力及び音声出力が可能な装置である。映像音声伝送ケーブル１０９は、ＨＤＭＩケーブルなどの映像データ及び音声データを伝送することが可能なケーブルである。音声伝送ケーブル１１０は、ＳＰＤＩＦケーブルなどの音声データを伝送することが可能なケーブルである。
【０２５０】
無線伝送装置１０２、音声出力装置１０３、及び映像音声再生装置１０４の構成と動作は、第２の実施形態と同様であるので、説明を省略する。また、無線伝送装置１０１及び映像音声出力装置１０８は、第１の実施形態と同様であるので、説明を省略する。
【０２５１】
なお、第３の実施形態では、音声出力装置１０３と無線伝送装置１０２とは、映像音声伝送ケーブル１０６及び音声伝送ケーブル１０７で接続されているが、映像データ及び音声データの伝送が可能な通信路と音声データの伝送が可能な通信路の両方を有する１本のケーブルで実現することも可能である。その場合は、（ｄ３）及び（ｂ４）においては、音声伝送ケーブル１０７の代わりにその一本のケーブルの接続状況を用いて判断を行う。上記一本のケーブルがＨＤＭＩケーブルである場合は、５Ｖ信号の状態で接続状況を判断することが可能である。
【０２５２】
また、第３の実施形態では、映像音声出力装置１０８と無線伝送装置１０１とは、映像音声伝送ケーブル１０９及び音声伝送ケーブル１１０で接続されているが、映像データ及び音声データの伝送が可能な通信路と、音声データの伝送が可能な通信路との両方を有する１本のケーブルで実現することも可能である。
【０２５３】
以下、図面を用いて、ユーザによって、映像音声出力装置１０８において、映像音声再生装置１０４から放送波への入力切替が行われたときの無線伝送装置１０１の処理について説明する。
【０２５４】
コントローラ６０１は、入力が放送波に切り替えられたことを検知すると、入力が放送波に切り替えられたことを示す切替通知信号を、有線送受信回路６０２、及び映像音声伝送ケーブル１０９を介して、無線伝送装置１０１に送信する。なお、切り替えの検知方法は、第２の実施形態と同様とする。無線伝送装置１０１において、コントローラ２０１は、有線送受信回路２０４、及びパケット処理回路２０３を介して、映像音声出力装置１０８からの切替通知信号を受信し、映像音声出力装置１０８の入力が放送波に切り替えられたことを認識する。
【０２５５】
また、無線伝送装置１０１は、システム全体がシアターモードで動作しているか否かを映像音声出力装置１０８と音声出力装置１０３とで交換される制御信号を参照し判断する。無線伝送装置１０１のその他の接続処理は、第２の実施形態の図２７で示されるフローチャートと同様であるので説明を省略する。また、無線伝送装置１０２の処理は、第２の実施形態の図３１で示されるフローチャートと同様であるので説明を省略する。
【０２５６】
なお、本発明の映像音声出力装置１０８は、スピーカ６０５及びディスプレイ６０６を内蔵しているが、ＳＴＶ（Ｓｅｔ  Ｔｏｐ  Ｂｏｘ）のように内蔵せず、外部に設置されてもよい。その場合、スピーカ６０５及びディスプレイ６０６に代わり、映像音声処理回路６０４に有線送受信回路が接続され、有線送受信回路及び映像音声伝送ケーブル、音声伝送ケーブルなどを介して、外部のスピーカ、ディスプレイに接続される。また、音声出力装置１０３も同様に、スピーカ４０６を内蔵せず、装置外部のスピーカと接続されていてもよい。また、音声出力装置１０３に接続されるスピーカ４０６は２台以上でもよい。
【０２５７】
（その他変形例）
なお、本発明を上記実施の形態に基づいて説明してきたが、本発明は、上記の実施の形態に限定されないのはもちろんである。以下のような場合も本発明に含まれる。
【０２５８】
上記の各装置は、具体的には、マイクロプロセッサ、ＲＯＭ、ＲＡＭ、ハードディスクユニット、ディスプレイユニット、キーボード、マウスなどから構成されるコンピュータシステムである。ＲＡＭまたはハードディスクユニットには、コンピュータプログラムが記憶されている。マイクロプロセッサが、コンピュータプログラムにしたがって動作することにより、各装置は、その機能を達成する。ここでコンピュータプログラムは、所定の機能を達成するために、コンピュータに対する指令を示す命令コードが複数個組み合わされて構成されたものである。
【０２５９】
上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成要素を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶さている。マイクロプロセッサが、コンピュータプログラムにしたがって動作することにより、システムＬＳＩは、その機能を達成する。
【０２６０】
上記の各装置を構成する構成要素の一部または全部は、各装置に脱着可能なＩＣカードまたは単体のモジュールから構成されているとしてもよい。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしてもよい。マイクロプロセッサが、コンピュータプログラムにしたがって動作することにより、ＩＣカードまたはモジュールは、その機能を達成する。このＩＣカードまたはこのモジュールは、耐タンパ性を有するとしてもよい。
【０２６１】
本発明は、上記に示す方法であるとしてもよい。また、これらの方法をコンピュータにより実現するコンピュータプログラムであるとしてもよいし、コンピュータプログラムからなるデジタル信号であるとしてもよい。
【０２６２】
また、本発明は、コンピュータプログラムまたはデジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなどに記録したものとしてもよい。また、これらの記録媒体に記録されているデジタル信号であるとしてもよい。
【０２６３】
また、本発明は、コンピュータプログラムまたはデジタル信号を、電気通信回線、無線または有線通信回線、インターネットを代表とするネットワーク、データ放送等を経由して伝送するものとしてもよい。
【０２６４】
また、本発明は、マイクロプロセッサとメモリを備えたコンピュータシステムであって、メモリは、上記コンピュータプログラムを記憶しており、マイクロプロセッサは、コンピュータプログラムにしたがって動作するとしてもよい。
【０２６５】
また、プログラムまたはデジタル信号を記録媒体に記録して移送することにより、またはプログラムまたはデジタル信号をネットワーク等を経由して移送することにより、独立した他のコンピュータシステムにより実施するとしてもよい。
【０２６６】
上記実施の形態及び上記変形例をそれぞれ組み合わせてもよい。
【０２６７】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【０２６８】
以上詳述したように、本発明に係る無線伝送方法によれば、映像音声出力装置と音声出力装置との間の無線接続形態を自動で選択するので、ユーザの利便性を向上することができる。
【０２６９】
本発明に係る無線伝送方法は、特に、例えば、ワイヤレスＨＤなどの無線通信規格に準拠した無線伝送システムにおける映像音声データの伝送に利用できる。
【符号の説明】
【０２７０】
１０１，１０２  無線伝送装置
１０３  音声出力装置
１０４，１１１  映像音声再生装置
１０５，１０６，１０９，１１２  映像音声伝送ケーブル
１０７，１１０  音声伝送ケーブル
１０８，７０１  映像音声出力装置
１１３  映像出力装置
２０１，３０１，４０１，５０１，６０１  コントローラ
２０２，３０２  パケット無線送受信回路
２０３，３０３  パケット処理回路
２０４，３０４，４０２，４０４，５０４，６０２  有線送受信回路
２０５，４０５  音声有線受信回路
２０６，３０６  アンテナ
３０５，６０３  音声有線送信回路
４０３，５０３，６０４  映像音声処理回路
４０６，６０５  スピーカ
５０２  映像音声再生回路
６０６  ディスプレイ
６０７  放送波受信回路
８０１，９０１  オペコードフィールド
８０２  要求タイプフィールド
８０３  リザーブフィールド
８０４，９０２  全体メッセージ長フィールド
９０３  タイプフィールド
９０４  サブメッセージ長フィールド
９０５  デバイス種別フィールド
９０６  バージョンフィールド
９０７  ＡＶタイプフィールド
９０８  無線タイプフィールド
９０９  フラグフィールド
【図１】
0005560282.tif 000002
【図２】
0005560282.tif 000003
【図３】
0005560282.tif 000004
【図４】
0005560282.tif 000005
【図５】
0005560282.tif 000006
【図６】
0005560282.tif 000007
【図７Ａ】
0005560282.tif 000008
【図７Ｂ】
0005560282.tif 000009
【図８】
0005560282.tif 000010
【図９】
0005560282.tif 000011
【図１０】
0005560282.tif 000012
【図１１】
0005560282.tif 000013
【図１２】
0005560282.tif 000014
【図１３】
0005560282.tif 000015
【図１４】
0005560282.tif 000016
【図１５】
0005560282.tif 000017
【図１６】
0005560282.tif 000018
【図１７】
0005560282.tif 000019
【図１８】
0005560282.tif 000020
【図１９】
0005560282.tif 000021
【図２０】
0005560282.tif 000022
【図２１】
0005560282.tif 000023
【図２２】
0005560282.tif 000024
【図２３】
0005560282.tif 000025
【図２４】
0005560282.tif 000026
【図２５】
0005560282.tif 000027
【図２６】
0005560282.tif 000028
【図２７】
0005560282.tif 000029
【図２８】
0005560282.tif 000030
【図２９】
0005560282.tif 000031
【図３０】
0005560282.tif 000032
【図３１】
0005560282.tif 000033
【図３２】
0005560282.tif 000034
【図３３】
0005560282.tif 000035
【図３４】
0005560282.tif 000036